(57)【要約】  吸収性物品用の液体透過性基材が開示される。この基材は、不織布疎水性層を備える。この基材は、複数の陥没部と、複数の突起部と、複数のランド領域と、を備える。ランド領域は、複数の突起部及び複数の陥没部の少なくとも大部分を包囲する。複数の陥没部、複数の突起部、及び複数のランド領域は、共に基材の第１の側面上に第１の三次元表面を、及び基材の第２の側面上に第２の三次元表面を形成する。親水性材料は、孔のうちの少なくともいくつかのみに近接して位置付けられる。
2019526371.tif 000002
【特許請求の範囲】
【請求項１】
吸収性物品用の液体透過性不織布トップシートであって、前記トップシートが、
不織布疎水性材料を含み、
前記トップシートが、複数の陥没部と、複数の突起部と、複数のランド領域と、を備え、前記ランド領域は、前記複数の突起部及び複数の前記陥没部の少なくとも大部分を包囲し、前記複数の陥没部、前記複数の突起部、及び前記複数のランド領域は、共に前記トップシートの第１の側面上に第１の三次元表面を、及び前記トップシートの第２の側面上に第２の三次元表面を形成し、前記突起部の大部分が、突起部高さ試験に従って、約４００μｍ〜約４０００μｍの範囲のｚ方向高さを有し、前記陥没部の大部分が、隣接する突起部の頂部ピークから最遠位の位置で孔を画定し、前記陥没部の前記大部分が、陥没部高さ試験に従って、約４００μｍ〜約２０００μｍの範囲のｚ方向高さを有し、
基材が、全基材高さ試験に従って、約８００μｍ〜約６０００μｍの範囲の全ｚ方向高さを有し、
親水性材料が、前記孔の少なくともいくつかのみに近接して位置付けられる、トップシート。
【請求項２】
前記不織布疎水性材料が、
第１の不織布疎水性層と、
第２の不織布疎水性層と、を含み、前記第１の層が前記第２の層に接合され、前記第１の層が、前記第２の不織布とは異なる坪量を有し、
前記突起部の一部及び前記陥没部の一部が、前記第１の層の一部及び前記第２の層の一部によって形成され、
前記孔が、前記第１の層及び前記第２の層を貫いて形成される、請求項１に記載のトップシート。
【請求項３】
前記突起部及び前記ランド領域が、疎水性である、請求項１又は２に記載のトップシート。
【請求項４】
前記陥没部が、前記孔の外周部の周りの領域に前記親水性材料を含む、請求項１〜３のいずれか一項に記載のトップシート。
【請求項５】
前記孔の大部分が、孔試験に従って、約１．０ｍｍ２〜約３．５ｍｍ２の範囲の有効孔面積を有する、請求項１〜４のいずれか一項に記載のトップシート。
【請求項６】
前記トップシートが、孔試験に従って、約５％〜約２０％の範囲の有効孔面積％を有する、請求項１〜５のいずれか一項に記載のトップシート。
【請求項７】
前記第１の層が、加熱空気に前記第１の層及び前記第２の層を通過させることによって、前記第２の層に接合される、請求項２〜６のいずれか一項に記載のトップシート。
【請求項８】
前記第１の層が複数の第１の繊維を含み、前記第２の層が複数の第２の繊維を含み、前記第１及び第２の繊維が異なる、請求項２〜７のいずれか一項に記載のトップシート。
【請求項９】
４つの孔が各突起部の周囲に形成され、４つの突起部が各孔の周囲に形成される、請求項１〜８のいずれか一項に記載のトップシート。
【請求項１０】
２つの隣接する孔が、突起部及びランド領域により前記基材の横方向軸線に沿って分離され、２つの隣接する突起部が、孔及びランド領域により前記基材の前記横方向軸線に沿って分離され、２つの隣接する孔が、突起部及びランド領域により前記基材の長手方向軸線に沿って分離され、２つの隣接する突起部が、孔及びランド領域により前記基材の前記長手方向軸線に沿って分離される、請求項１〜９のいずれか一項に記載のトップシート。
【請求項１１】
前記陥没部の実質的に全てが孔を画定し、前記突起部の実質的に全てが中空アーチ部分を含む、請求項１〜１０のいずれか一項に記載のトップシート。
【請求項１２】
前記孔が、共に前記基材の第１の線を形成する孔の第１の組と、共に前記基材の第２の線を形成する孔の第２の組と、を含み、前記第１の線が前記第２の線と略平行である、請求項１〜１１のいずれか一項に記載のトップシート。
【請求項１３】
前記孔の前記大部分の外周部が前記基材の最下部の第１の平面を形成し、前記突起部の前記大部分の頂部ピークが前記基材の最上部の第２の平面を形成し、前記ランド領域が前記第１の平面と前記第２の平面との中間に位置付けられる、請求項１〜１２のいずれか一項に記載のトップシート。
【請求項１４】
前記第１の層が、前記第２の層の繊維のデニールよりも少なくとも０．５デニール大きい繊維を含む、請求項２〜１３のいずれか一項に記載のトップシート。
【請求項１５】
前記第１の層が、約１．２〜約４の範囲のデニールを有する繊維を含み、前記第２の層が、約１．０〜約３．５の範囲のデニールを有する繊維を含む、請求項２〜１４のいずれか一項に記載のトップシート。
【請求項１６】
吸収性物品であって、
請求項１〜１５のいずれか一項に記載のトップシートと、
バックシートと、
前記トップシートと前記バックシートとの中間に少なくとも部分的に位置付けられた吸収性コアと、を含む、吸収性物品。
【請求項１７】
前記吸収性コアが、前記吸収性材料の少なくとも９０重量％の超吸収性ポリマーを含む吸収性材料を含む、請求項１６に記載の吸収性物品。
【発明の詳細な説明】
【技術分野】
【０００１】
本開示は、一般的には、三次元有孔基材に関する。
【背景技術】
【０００２】
乳児用使い捨ておむつ、幼児用トレーニングパンツ、成人失禁用下着、及び／又は生理用ナプキンなどの個人衛生用吸収性物品は、排泄物、特に大量の尿、粘性の低いＢＭ、及び／又は経血（まとめて「流体（複数可）」とする）を吸収して収容するように設計されている。これらの吸収性物品は、異なる機能を提供するいくつかの層、必要な場合、層の中でもとりわけ、例えば、トップシート、バックシート、及びトップシートとバックシートとの間に配置された、又は部分的に配置された吸収性コア、捕捉及び／又は分配システムなどを含み得る。
【０００３】
トップシートは、概して液体透過性であり、身体から排泄される流体を受容し、流体を捕捉及び／若しくは分配システムに向かう、並びに／又は吸収性コアに向かう方向付けに役立つように構成されている。完全に親水性のトップシートは、これらが流体を迅速に吸収するので、望ましい場合がある。しかしながら、完全に親水性のトップシートでの１つの問題は、これらが、その親水性によって大量の流体を保持し得ることである。これにより、吸収性物品の着用者に皮膚に対する濡れ感を生じさせる場合がある。完全に疎水性のトップシートは、これらが流体を保持しないので、望ましい場合がある。しかしながら、完全に疎水性トップシートでは、流体が開口部を通って導かれることができるように、通常、孔が設けられる。有効孔面積が小さくなりすぎると（例えば、１．８ｍｍ２）、流体が孔に入り込みかつそれを通って流れないであろう。これにより、非常に大きな有効孔面積（例えば、４．６ｍｍ２）が、関連技術の完全に疎水性トップシートでは必要とされる。しかしながら、より大きな穴は、再湿潤の増加につながる。完全に疎水性のトップシートは、これらが流体を保持しないために望ましいが、特により小さな有効孔面積による流出及び漏れの問題の潜在的リスクを有する。三次元トップシートは、流体が吸収生物品中に吸収され、流体／皮膚接触時間を低減することができるまで、流体を着用者の皮膚から離れる方向に移動させるために望ましい場合がある。
【発明の概要】
【発明が解決しようとする課題】
【０００４】
完全に親水性のトップシート及び完全に疎水性のトップシートの両方の問題を解決し、着用者の皮膚を乾燥した状態のまま残し、流体／皮膚接触時間を低減し、より小さな孔かつ皮膚マーキングの低減を可能にし、並びに流出及び漏れの問題を低減するために、三次元有孔トップシートは、更に改善されるべきである。
【課題を解決するための手段】
【０００５】
本開示は、概して、１つには、吸収性物品のトップシートとして使用され得るか、又はトップシートの一部、又は全体を形成する、三次元不織布有孔基材に関する。三次元有孔基材は、液体透過性基材であってよい。本開示の三次元有孔基材は、第１のｚ方向高さを有する第１の構成要素、及び、第２のｚ方向高さを有する少なくとも第２の構成要素を設けることによって、流体／皮膚接触時間を短縮することができる。第１のｚ方向高さは、通常第２のｚ方向高さより高くてよい。このような構造により、複数の高さを有する基材がもたらされる。これらの三次元有孔基材は、例えば排尿中に、流体が基材上に収容されること、並びに、第２のｚ方向高さ（低い方）を有する第２の構成要素内、及び／又は孔内かつそこを通って移動することを可能にし、皮膚と接触する流体の量を少なくとも低減し、及び／又は、流体／皮膚接触時間を少なくとも短縮することができる。別の言い方をすれば、第１のｚ方向高さ（高い方）を有する第１の構成要素は皮膚と接触でき、その間、流体は、第２のｚ方向高さ（低い方の高さ）を有する第２の構成要素内に、及び／又は、孔内にかつそこを通って重力により移動する。情報と信念により、かかる三次元構造は、皮膚上の流体量を少なくし、着用者により乾燥した、より心地よい感触をもたらし、及び／又は、流体／皮膚接触の時間を短縮する。第１のｚ方向高さ（高い方）を有する第１の構成要素は、基本的に、皮膚と流体との間にスペーサーを与えるように働き、その間、基材は、捕捉及び／若しくは分配システム並びに／又は吸収性コア内に流体を通している。
【０００６】
これらの三次元有孔基材（例えば、トップシートとして使用される）は、疎水性不織布材などの疎水性材料を含むことができるが、親水性材料は、孔の外周部の周りのみに、孔の周辺に近接する領域のみに、及び／又は孔の外周部の周りと陥没部の一部のみに（本明細書ではまとめて「孔に近接して」と称する）設けることができる。三次元有孔疎水性基材を親水性材料と共に、孔に近接して設けることによって、流体を、孔を通って迅速に吸い上げることができる。ここでは、孔は、大きな有効孔面積（例えば、４．６ｍｍ２）を有する従来の疎水性トップシートと比べて、有効孔面積を低減させることができ（例えば、１．８ｍｍ２）、これにより、大きな孔を有する完全に疎水性のトップシートとほぼ同じ流出及び漏れの効果を達成しながら、皮膚マーキング及び再湿潤を低減させることができる。
【０００７】
これにより、本開示の三次元不織布有孔基材又はトップシートは、完全に親水性のトップシート及び完全に疎水性のトップシートの両方の問題を解決し、着用者の皮膚を乾燥した状態のまま残し、流体／皮膚接触を減らし、より小さな孔かつ皮膚マーキングの低減を可能にし、並びに流出及び漏れの問題を低減する。
【図面の簡単な説明】
【０００８】
本開示の上記及び他の特徴並びに利点、更にそれらを実現する様式は、本開示の非限定的な形態の以下の説明を添付の図面と併せて参照することによって、より明らかになり、本開示自体の理解が深まるであろう。
【図１】本開示による、着用者に面する表面が図を見る人に面しており、いくつかの層を部分的に切り欠いた、吸収性物品の上面図である。
【図２】本開示による、図１の線２−２の周囲で切り取った吸収性物品の断面図である。
【図３】本開示による、図２の線２−２の周囲で切り取った、吸収性物品が流体で充填された吸収性物品の断面図である。
【図４】本開示による、着用者に面する表面が図を見る人に面しており、いくつかの層を部分的に切り欠いた、別の吸収性物品の上面図である。
【図５】本開示による、図４の線５−５の周囲で切り取った吸収性物品の断面図である。
【図６】本開示による、いくつかの層を部分的に切り欠いた図４の吸収性物品の吸収性コアの上面図である。
【図７】本開示による、図６の線７−７の周囲で切り取った吸収性コアの断面図である。
【図８】本開示による、図６の線８−８の周囲で切り取った吸収性コアの断面図である。
【図９】本開示による、着用者に面する表面が図を見る人に面しており、いくつかの層が切り取られた生理用ナプキンである、吸収性物品の上面図である。
【図１０】本開示による、着用者に面する表面が図を見る人に面しており、三次元液体透過性基材を含む吸収性物品の上面図である。
【図１１】本開示による、図１０の吸収性物品の斜視図である。
【図１２】本開示による、図１０の液体透過性基材の一部分の拡大上面図である。
【図１３】本開示による、図１０の液体透過性基材の一部分の別の拡大上面図である。
【図１４】本開示による、吸収性物品のトップシートに位置付けられた、及び／又は接合された三次元液体透過性基材の概略図である。
【図１５】本開示による、吸収性物品のトップシートに位置付けられた、及び／又は接合された三次元液体透過性基材の別の概略図である。
【図１６】本開示による、吸収性物品のトップシートに位置付けられた、及び／又は接合された三次元液体透過性基材の別の概略図である。
【図１７】本開示による、着用者に面する表面が図を見る人に面している、三次元液体透過性基材の一部分の正面図である。
【図１８】本開示による、図１７の三次元液体透過性基材の一部分の正面斜視図である。
【図１９】本開示による、着用者に面する表面が図を見る人に面している、三次元液体透過性基材の一部分の別の正面図である。
【図２０】本開示による、図１９の液体透過性基材の一部分の正面斜視図である。
【図２１】本開示による、着用者に面する表面が図を見る人に面している、三次元液体透過性基材の一部分の背面図である。
【図２２】本開示による、図２１の三次元液体透過性基材の一部分の背面斜視図である。
【図２３】本開示による、着用者に面する表面が図を見る人に面している、三次元液体透過性基材の一部分の別の背面図である。
【図２４】本開示による、図２３の液体透過性基材の一部分の背面斜視図である。
【図２５】本開示による、液体透過性基材の断面図である。
【図２６】本開示の基材の形成プロセスの一例の概略図である。
【図２７】本開示による、第１及び第２のロールの一部分の噛み合い係合の図である。
【図２８】本開示による、第１のロールの一部分の図である。
【図２９】本開示による、第２のロールの一部分の図である。
【図３０】本開示による、吸収性物品のパッケージの側面図である。外側表面は、明確にする目的で透明に図示されている。
【図３１】本開示による、孔に近接して位置付けられた親水性材料を有する例示的な三次元疎水性不織布有孔材料の概略断面図である。
【図３２】本開示による、孔に近接して位置付けられた親水性材料を有する例示的な三次元疎水性不織布有孔材料の上面斜視図の写真である。
【図３３】本開示による、孔に近接して位置付けられた親水性材料を有する例示的な三次元疎水性不織布有孔材料の底面斜視図の写真である。
【図３４】本開示による、孔に近接する三次元不織布疎水性有孔材料に適用される親水性材料の概略図である。
【図３５】本開示による、孔に近接する三次元不織布疎水性有孔材料に適用される親水性材料の概略図である。
【図３６】本開示による、突起部上に位置付けられた疎水性材料及び孔に近接する親水性材料を有する例示的な三次元親水性不織布有孔材料の概略断面図である。
【図３７】本開示による、突起部上の三次元不織布親水性有孔材料に適用される疎水性材料の概略図である。
【発明を実施するための形態】
【０００９】
本明細書で開示される三次元有孔基材の構造、機能、製造、及び使用の原理の総合的な理解を提供するために、ここで、本開示の様々な非限定的形態が説明される。これらの非限定的実施形態の１つ以上の例が、添付図面に示されている。当業者であれば、本明細書において記載され、かつ添付の図面で例示される三次元有孔基材は、非限定的な例示的形態であり、本開示の種々の非限定的な形態の範囲は、特許請求の範囲によってのみ定義されることを理解するであろう。１つの非限定的な形態に関して図示又は説明される特徴は、他の非限定的な形態の特徴と組み合わせることができる。そのような修正及び変形は、本開示の範囲内に含まれるものとする。
【００１０】
序論
本明細書で使用するとき、用語「吸収性物品」とは、未熟児、乳児、小児、又は大人用おむつ、成人用失禁製品、トレーニングパンツ、生理用ナプキンなどの、着用者の身体に接して又は近接して配置されて、身体から排出される様々な流体を吸収して封じ込める使い捨て装置を指す。典型的には、これらの吸収性物品は、トップシート、バックシート、吸収性コア、任意で捕捉システム、及び／又は分配システム（１つ又はいくつかの層からなり得る）、並びに典型的にはその他の構成要素を備え、吸収性コアは通常、バックシートと捕捉システム及び／又は分配システムとの間、あるいはトップシートとバックシートとの間に、少なくとも部分的に配置される。本開示の三次元有孔液体透過性基材を含む吸収性物品について、以下の説明にて、及び図面にて、テープ付きおむつの１つ以上の構成要素の形態で更に説明することにする。しかしながら、この説明におけるいかなる内容も、特許請求の範囲を制限するものと見なされるべきではない。したがって、本開示は、任意の好適な形態の吸収性物品（例えば、おむつ、トレーニングパンツ、成人用失禁製品、生理用ナプキン）に適用される。
【００１１】
本明細書で使用するとき、用語「不織布ウェブ」とは、摩擦、及び／又は粘着、及び／又は接着により結合された、一方向又は無作為に配向された繊維から製造されたシート、ウェブ、又はバットを意味し、紙、及び追加のニードル加工の有無を問わず、織られた、編まれた、タフト加工された、結束糸若しくはフィラメントを組み込んだステッチボンド、又は湿式粉砕によってフェルト加工された製品を含まない。繊維は、天然又は人工物由来であってもよく、ステープル若しくは連続フィラメントであっても、又はその場で形成されたものであってもよい。市販の繊維は、約０．００１ｍｍ未満〜約０．２ｍｍ超の範囲の直径を有することがあり、短繊維（ステープルファイバ又はチョップドファイバとして知られる）、連続単繊維（フィラメント又はモノフィラメント）、連続フィラメントの無撚束（粗麻）、及び連続フィラメントの撚り束（紡績糸）など、いくつかの異なる形態で提供されることがある。不織布ウェブは、メルトブロー法、スパンボンド法、溶媒紡糸法、電界紡糸法、カーディング法、及びエアレイイング法などの多くのプロセスによって形成され得る。不織布ウェブの坪量は、通常、グラム毎平方メートル（ｇ／ｍ２又はｇｓｍ）で表される。
【００１２】
本明細書で使用するとき、用語「接合された」、「結合された」、又は「取り付けられた」とは、ある要素を直接別の要素に固着させることによって、ある要素がもう一方の要素に直接固定される構成、及びある要素を中間部材に固着させて、続いてその中間部材をもう一方の要素に固着させることによって、ある要素がもう一方の要素に間接的に固定される構成を包含する。
【００１３】
本明細書で使用するとき、用語「機械方向」又は「ＭＤ」は、基材が製造される際の基材の移動方向と実質的に平行な方向である。「横断方向」又は「ＣＤ」は、ＭＤに及び基材によって概ね画定された平面において実質的に垂直な方向である。
【００１４】
本明細書で使用するとき、用語「親水性」とは、Ｔｈｅ  Ａｍｅｒｉｃａｎ  Ｃｈｅｍｉｃａｌ  Ｓｏｃｉｅｔｙ  Ｐｕｂｌｉｃａｔｉｏｎ「Ｃｏｎｔａｃｔ  Ａｎｇｌｅ，Ｗｅｔｔａｂｉｌｉｔｙ，ａｎｄ  Ａｄｈｅｓｉｏｎ」（Ｒｏｂｅｒｔ  Ｆ．Ｇｏｕｌｄ編集、１９６４年に著作権取得）により、９０°以下の接触角を有する材料を指す。
【００１５】
本明細書で使用するとき、用語「疎水性」とは、Ｔｈｅ  Ａｍｅｒｉｃａｎ  Ｃｈｅｍｉｃａｌ  Ｓｏｃｉｅｔｙ  Ｐｕｂｌｉｃａｔｉｏｎ「Ｃｏｎｔａｃｔ  Ａｎｇｌｅ，Ｗｅｔｔａｂｉｌｉｔｙ，ａｎｄ  Ａｄｈｅｓｉｏｎ」（Ｒｏｂｅｒｔ  Ｆ．Ｇｏｕｌｄ編集、１９６４年に著作権取得）により、９０°以上の接触角を有する材料又は層を指す。
【００１６】
吸収性物品の概説
おむつ２０形態の例示的な吸収性物品を図１〜図３に示す。図１は、例示的なおむつ２０を平らに広げた状態で示した平面図であり、おむつ２０の構造をより明確に示すためにその構造の一部を切り欠いている。図１のおむつ２０の着用者に面する表面は、図を見る人に面している。本開示の三次元基材は、吸収性物品の１つ以上の構成要素として使用され得るため、このおむつ２０は、例示目的でのみ示されている。
【００１７】
吸収性物品２０は、液体透過性トップシート２４、液体不透過性バックシート２５、トップシート２４とバックシート２５との間に少なくとも部分的に位置付けられた吸収性コア２８、及びバリアレッグカフ３４を備え得る。吸収性物品はまた、捕捉及び／又は分配システム（「acquisition and/or distribution system、ＡＤＳ」）５０を備えてもよく、この捕捉及び／又は分配システム５０は、示される例では分配層５４と捕捉層５２とを備えており、これについては下記で更に詳細に説明する。また、吸収性物品は、吸収性物品のシャーシに、（典型的にはトップシート及び／又はバックシートを介して）接合され、おむつのシャーシに対して実質的に平坦な弾性体３３を含む、弾性ガスケットカフ３２を備え得る。
【００１８】
これらの図はまた、タブ４２を備える締着システムなどの典型的なテープ付きおむつ構成要素を示し、タブ４２は、物品の後縁部に向かって取り付けられ、吸収性物品の前方でランディングゾーン４４と協働する。吸収性物品はまた、例えば、後側弾性腰部機構、前側弾性腰部機構、横方向バリアカフ（複数可）、及び／又はローションアプリケーションなど、図示されていない他の典型的な要素を含んでもよい。
【００１９】
吸収性物品２０は、前側腰部縁部１０、前側腰部縁部１０と長手方向に対向する後側腰部縁部１２、第１の側縁部３、及び第１の側縁部３と横方向に対向する第２の側縁部４を備える。前側腰部縁部１０は、着用時にユーザーの前面に向かって配置されるように意図された物品の縁部であり、後側腰部縁部１２は対向する縁部である。吸収性物品は、図１のように吸収性物品を平らに配置して物品を上方から見た場合に、物品の前側腰部縁部１０の横方向中点から後側腰部縁部１２の横方向中点まで延在して、長手方向軸線８０を中心に実質的に対称的な２つの半体に物品を分割する、長手方向軸線８０を有し得る。吸収性物品はまた、第１の側縁部３の長手方向中点から第２の側縁部４の長手方向中点まで延在する横方向軸線９０を有し得る。物品の長さＬは、長手方向軸線８０に沿った、前側腰部縁部１０から後側腰部縁部１２までの長さとして測定され得る。物品の幅Ｗは、横方向軸線９０に沿った、第１の側縁部３から第２の側縁部４までの幅として測定され得る。本物品は、本明細書では、物品２０の前縁部１０から開始してＬの５分の２（２／５）の距離で長手方向軸線上に配置された点として定義される股点Ｃを含み得る。本物品は、前側腰部領域５、後側腰部領域６、及び股部領域７を備え得る。前側腰部領域５、後側腰部領域６、及び股部領域７は、それぞれ吸収性物品の長手方向長さＬの３分の１を画定する。
【００２０】
吸収性コア２８は、少なくとも７５重量％、少なくとも８０重量％、少なくとも９０重量％、少なくとも９５重量％、又は少なくとも９９重量％の吸収性材料を含む吸収性材料と、超吸収性ポリマーを封入するコアラップと、を含んでよい。コアラップは、通常、コアの上面及び下面に対して、２つの材料、基材、又は不織布材料１６及び１６’を備えてもよい。コアは、図１においては、４つのチャネル２６、２６’、及び２７、２７’として図示される、１つ以上のチャネルを備え得る。チャネル２６、２６’、２７、及び２７’は任意選択的な特徴である。それどころか、コアはチャネルを全く有さずともよく、又は任意の数のチャネルを有してもよい。チャネルは、吸収性材料又は吸収性コアにエンボス加工されてもよい。
【００２１】
例示的吸収性物品のこれらの及びその他の構成要素を、以下でより詳細に説明する。
【００２２】
トップシート
本開示において、トップシート（着用者の皮膚に接触し、流体を受容する吸収性物品の部分）は、本明細書に記載の１つ以上の三次元有孔基材の一部分若しくは全体で形成される、並びに／又はそこに位置付けられている、及び／若しくはそこに接合されている１つ以上の三次元有孔基材を有することができ、それによって三次元有孔基材は着用者の皮膚に接触する。トップシートの他の部分（三次元基材有孔以外）も着用者の皮膚に接触し得る。典型的なトップシートについて以下に記載するが、このトップシート２４又はその一部分の代わりに、本明細書に記載の三次元有孔不織布基材を使用してよいことが理解されるであろう。場合によっては、三次元有孔不織布基材は、本明細書に記載のように、典型的なトップシート２４の上にストリップ又はパッチとして位置付けられてよい。別の例では、三次元有孔不織布基材は、トップシートの中央部分を形成してもよく、一方、平坦な不織材料が側部を形成してもよい。
【００２３】
トップシート２４は、着用者の皮膚に接触する吸収性物品の一部であり得る。当業者には周知されるように、トップシート２４は、バックシート２５、コア２８、及び／又は任意のその他の層に接合され得る。通常は、トップシート２４とバックシート２５とは、いくつかの箇所（例えば、吸収性物品の周辺部又はその付近）で互いに直接接合され、また他の箇所では、トップシート２４とバックシート２５とを物品２０の１つ以上の他の要素に直接接合することによって、これらは間接的に接合される。
【００２４】
トップシート２４は、着用者の皮膚に対して順応性があり、柔軟な感触であり、非刺激性であってよい。更に、トップシート２４の一部分又はその全部は液体透過性であって、その厚さ方向に液体を容易に浸透させることができる。
【００２５】
トップシートとして使用される三次元有孔不織布基材が、本明細書に更に議論されている。
【００２６】
バックシート
バックシート２５は、通常、吸収性コア２８の衣類に面する表面に隣接して位置付けられ、吸収性コア中に吸収され、かつ封じ込められた流体がベッドシーツ及び下着などの物品を汚すのを防止するか又は少なくとも抑制する、吸収性物品２０の一部である。バックシート２５は典型的には、流体（例えば、尿）に対して不透過性、又は少なくとも実質的に不透過性である。他の好適なバックシート材料としては、蒸気を吸収性物品２０から逃がす一方で、流体がバックシート２５を通過するのを防ぐ、又は少なくとも抑制する通気性材料を挙げることができる。
【００２７】
外側カバー２３は、吸収性物品の柔らかい、衣類に面する表面を形成するため、バックシート２５の少なくとも一部分又は全体を被覆し得る。外側カバー２３は、１つ以上の不織布材料又は他の好適な材料から形成され得る。一例として、図２に外側カバー２３が長点で図示されている。
【００２８】
吸収性コア
本明細書で使用するとき、用語「吸収性コア」とは、吸収能力の大半を有し、吸収性材料、及び吸収性材料を封入するコアラップ又はコアバッグを備える吸収性物品の構成要素を指す。用語「吸収性コア」は、捕捉及び／若しくは分配システム、又は、コアラップ若しくはコアバッグの一体部分ではないかあるいはコアラップ若しくはコアバッグ内に配置されないかのいずれかの物品の他のいかなる構成要素も含まない。吸収性コアは、上記のコアラップ、吸収性材料（例えば、超吸収性ポリマー）、及び１つ以上の接着剤を含むか、それらから本質的になるか、又はそれらからなる場合がある。
【００２９】
吸収性コア２８は、コアラップ内に封入された、大量の超吸収性ポリマー（本明細書では「superabsorbent polymer、ＳＡＰ」と略す）を有する吸収性材料を含み得る。ＳＡＰ含有量は、コアラップ内に封入された吸収性材料の７０重量％〜１００重量％、又は少なくとも７０重量％、少なくとも７５重量％、少なくとも８０重量％、少なくとも８５重量％、少なくとも９０重量％、少なくとも９５重量％、少なくとも９９重量％、若しくは１００重量％を示してもよい。コアラップは、吸収性コア内のＳＡＰの百分率を見積もる目的で、吸収性材料とは見なされない。吸収性材料は、具体的には、１５重量％未満、１０重量％未満、５重量％未満、３重量％未満、２重量％未満、１重量％未満の天然、セルロース系及び／若しくは合成繊維を含んでもよく、又は更には天然、セルロース系、及び／若しくは合成繊維を実質的に含まなくてもよい。また、コアは、ＳＡＰを有する又は有さないエアフェルト又はセルロース繊維も含み得る。
【００３０】
「吸収性材料」とは、ＳＡＰ、セルロース系繊維、及び合成繊維など、何らかの吸収特性又は液体保持特性を有する材料を意味する。通常、吸収性コアの作製に使用される糊剤は、吸収特性を全く又はほとんど有せず、吸収性材料とは見なされない。
【００３１】
図４〜図５の例示的な吸収性物品２０の吸収性コア２８を、図６〜図８では分離して示す。吸収性コア２８は、前側部２８０と、後側部２８２と、前側部２８０と後側部２８２とを接合する２つの長手方向側部２８４、２８６とを備え得る。吸収性コア２８はまた、概ね平面状の上側部、及び概ね平面状の下側部を備え得る。コアの前側部２８０は、吸収性物品の前側腰部縁部１０に向けて配置されるように意図されるコアの側部である。コア２８は、図１に示すような上平面図で上から見ると、吸収性物品２０の長手方向軸線８０に実質的に対応する長手方向軸線８０’を有し得る。特定の吸収性物品では、前側部にてより高い吸収性が要求され得るため、吸収性材料は、後側部２８２に向かうよりも前側部２８０に向かってより多くの量が分配されてもよい。コアラップは、２つの不織布材料、基材、積層体、又はその他の材料１６、１６’により形成され得るが、それらは、吸収性コア２８の側部２８４、２８６に沿って、少なくとも部分的に封止され得る。コアラップは、吸収性材料が吸収性コアラップから実質的に全く漏れ出さないように、その前側部２８０、後側部２８２、及び２つの長手方向側部２８４、２８６に沿って、少なくとも部分的に封止されてもよい。図７に示されるように、第１の材料、基材、又は不織布１６は、第２の材料、基材、又は不織布１６’を少なくとも部分的に包囲して、コアラップを形成してもよい。第１の材料１６は、第２の材料の１６’のうち、第１の側縁部２８４及び第２側縁部２８６に近接した一部分を包囲してもよい。
【００３２】
吸収性コアは、例えば、コアラップ内でＳＡＰが動かないようにするのを助けるため、かつ／又は、特にコアラップが２つ以上の基材から作られる場合にコアラップの一体性を確保するため、接着剤を含み得る。接着剤は、例えばＨ．Ｂ．Ｆｕｌｌｅｒから供給されるホットメルト接着剤であってもよい。コアラップは、吸収性材料をその内部に収容するために厳密に必要とされるよりも広い面積に延在してよい。
【００３３】
様々なコアの設計を有し、比較的大量のＳＡＰを含むコアが、米国特許第５，５９９，３３５号（Ｇｏｌｄｍａｎ）、欧州特許第１４４７０６６号（Ｂｕｓａｍ）、国際公開第９５／１１６５２号（Ｔａｎｚｅｒ）、米国特許出願公開第２００８／０３１２６２２（Ａ１）号（Ｈｕｎｄｏｒｆ）、及び国際公開第２０１２／０５２１７２号（Ｖａｎ  Ｍａｌｄｅｒｅｎ）に開示されている。
【００３４】
吸収性材料は、コアラップ内に存在する連続層であってもよい。あるいは、吸収性材料は、コアラップ内に封入された吸収性材料の個別のポケット又はストライプからなってもよい。第１の事例では、吸収性材料は、例えば、吸収性材料の単一の連続層を適用することによって得られてもよい。吸収性材料の、特にＳＡＰの連続層は、不連続的な吸収性材料の適用パターンを有する２つの吸収性層を組み合わせることによっても得ることができ、結果として得られる層は、例えば米国特許出願公開第２００８／０３１２６２２（Ａ１）号（Ｈｕｎｄｏｒｆ）に開示されるように、吸収性粒状ポリマー材料領域の全体にわたって実質的に連続的に分布している。吸収性コア２８は、第１の吸収性層と第２の吸収性層とを備えてもよい。第１の吸収性層は、第１の材料１６と、１００％以下のＳＡＰであり得る吸収性材料の第１の層６１と、を備え得る。第２の吸収性層は、第２の材料１６’と、やはり１００％以下のＳＡＰであり得る吸収性材料の第２の層６２と、を備え得る。吸収性コア２８はまた、吸収性材料６１、６２の各層を、それぞれ対応する材料１６又は１６’に少なくとも部分的に結合する、繊維状の熱可塑性接着剤材料５１を含んでよい。これは、図７〜図８に一例として図示されており、図中、第１及び第２のＳＡＰ層は、組み合わされる前に、対応する基材上の所望される吸収性材料堆積領域と同じ幅を有する横ストライプ、即ち「ランド領域」として適用されている。ストライプは、コア８０の長手方向軸線に沿ってプロファイル化された坪量を提供するために異なる量の吸収性材料（ＳＡＰ）を含み得る。第１の材料１６と第２の材料１６’とは、コアラップを形成することができる。
【００３５】
繊維状の熱可塑性接着剤材料５１は、ランド領域において、吸収性材料６１、６２と少なくとも部分的に接触していてもよく、また、接合区域において、材料１６、１６’と少なくとも部分的に接触してよい。これによって、それ自体では長さ及び幅方向の寸法と比べると相対的に厚みが薄い、本質的に二次元の構造である熱可塑性接着剤材料５１の繊維層に、本質的に三次元の構造が付与される。それにより、繊維状の熱可塑性接着剤材料は、吸収性材料のランド領域を被覆するキャビティを提供することができ、それによって１００％以下のＳＡＰであり得るこの吸収性材料を固定化させる。
【００３６】
コアラップ
コアラップは、吸収性材料の周りに折り重ねられた単一の基材、材料、又は不織布で形成されてもよく、あるいは互いに取り付けられた２つ（又はそれ以上）の基材、材料、又は不織布を含むものとしてもよい。一般的な取り付け方法は、いわゆるＣラップ及び／又はサンドイッチラップである。例えば図２及び図７に示すように、Ｃラップでは、一方の基材の長手方向縁部及び／又は横方向縁部を他方の基材に折り重ねてフラップを形成する。次に、これらのフラップは、一般的には糊剤接着によって、他方の基材の外表面に結合される。
【００３７】
コアラップは、吸収性材料がコアから実質的に漏れ出さないように、吸収性コアの全ての側部に沿って少なくとも部分的に封止されてもよい。
【００３８】
コアラップが２つの基材１６、１６’によって形成される場合、４つの封止を用いて吸収性材料６０をコアラップ内に封入してもよい。例えば、第１の基材１６は、コアの一方の側部（図面に示されるような上側部）に配置され、コアの反対側にある下側部を少なくとも部分的に包み込むように、コアの長手方向縁部の周りに延在してよい。第２の基材１６’は、第１の基材１６の包み込まれたフラップと吸収性材料６０との間に存在してもよい。強力な封止をもたらすため、第１の基材１６のフラップを第２の基材１６’に糊剤接着してもよい。このいわゆるＣラップ構造は、サンドイッチ式の封止と比較して、湿潤負荷状態での耐破裂性の改善などの利点を提供することができる。次に、コアラップの前側部及び後側部も、第１の基材及び第２の基材を互いに糊剤接着することによって封止されて、コアの周辺部全体にわたる吸収性材料の完全な封入をもたらしてもよい。コアの前側部及び後側部に関しては、第１及び第２の基材が延在してもよく、実質的に平面方向で互いに接合されて、これらの縁部にいわゆるサンドイッチ構造を形成してもよい。いわゆるサンドイッチ構造では、第１及び第２の基材はまた、コアの全側部において外側に延在してもよく、一般的には糊剤接着及び／又は熱結合／圧着結合によって、コアの周辺部の全体若しくは一部に沿って平坦に、又は実質的に平坦に封止されてもよい。一例では、第１及び第２の基材のいずれも、製造を簡便化するため矩形に切断されてもよいが、その他の形状も本開示の範囲に含まれるように、形状決めする必要はない。
【００３９】
コアラップはまた、吸収性材料を風呂敷包み状に封入して、コアの前側部及び後側部、並びに一方の長手方向封止部に沿って封止され得る、単一の基材によって形成されてもよい。
【００４０】
ＳＡＰ堆積領域
吸収性材料堆積領域８は、吸収性コアの上面から見て分かるように、コアラップ内の吸収性材料６０によって形成される層の周辺部によって画定されてよい。吸収性材料堆積領域８は、コアの中央、つまり「股部」領域に向かってその幅に沿ってテーパーを示す、様々な形状、特にいわゆる「ドッグボーン」又は「砂時計」形を有してもよい。このように、吸収性材料堆積領域８は、図１に図示されるように、吸収性物品の股部領域内に配置されるように意図されたコアの領域で比較的狭い幅を有し得る。これにより、着用時の快適性をより高めることができる。また、吸収性材料堆積領域８は、例えば図４〜図６に示されるように、概ね矩形であってもよいが、矩形、「Ｔ」字形、「Ｙ」字形、「砂時計」形、又は「ドッグボーン」形のような他の堆積領域も本開示の範囲内である。吸収性材料は、比較的高速で比較的精密なＳＡＰの堆積を可能にし得る任意の好適な技術を用いて堆積することができる。
【００４１】
チャネル
吸収性材料堆積領域８は、物品８０の長手方向に少なくとも部分的に向けられた（即ち、長手方向のベクトル成分を有する）少なくとも１つのチャネル２６を備え得る。他のチャネルは、横方向の向きに（即ち、横方向ベクトル成分を有する）、又は他の任意の方向に少なくとも部分的に向けられてもよい。以下、「チャネル」が複数形で用いられる場合は、「少なくとも１つのチャネル」を意味する。チャネルは、物品の長手方向軸線８０上で突出する、物品の長さＬの少なくとも１０％である長さＬ’を有し得る。チャネルは、様々な方法で形成されてもよい。例えば、チャネルは、吸収性材料、特にＳＡＰを実質的に含まないか、又は全く含まなくてもよい、吸収性材料堆積領域８内のゾーンによって形成され得る。加えて又は代替的に、チャネル（複数可）は、吸収性材料堆積領域８全体でコアラップの上側部とコアラップの下側部とを連続的又は非連続的に結合することによって形成することもできる。チャネルは連続的であってもよいが、チャネルが断続的であってもよいことも想到される。捕捉−分配システム若しくは層５０、又は物品の別の層が、吸収性コアのチャネルに対応しても又はしなくてもよいチャネルを更に備え得る。
【００４２】
いくつかの場合では、２つの長手方向に延在するチャネル２６、２６’により図１に示すように、チャネルは、吸収性物品の股点Ｃ又は横方向軸線６０と少なくとも同じ長手方向の高さに存在し得る。また、チャネルは、股部領域７から延在してもよく、あるいは物品の前側腰部領域５及び／又は後側腰部領域６内に存在してもよい。
【００４３】
吸収性コア２８もまた、３つ以上、例えば、少なくとも３つ、少なくとも４つ、少なくとも５つ、少なくとも６つ、又はそれより多くのチャネルを備えてもよい。より短いチャネルが、例えばコアの後側腰部領域６又は前側腰部領域５において、物品の前側部に向かう図１の一対のチャネル２７、２７’によって表されるとおりに、更に存在してもよい。チャネルは、対称に配置されるか、ないしは別の方法で長手方向軸線８０に対して配置された、１つ以上のチャネルの対を備え得る。
【００４４】
チャネルはその全長の少なくとも一部に沿って、例えば少なくとも２ｍｍ、少なくとも３ｍｍ、少なくとも４ｍｍ、最大で例えば２０ｍｍ、１６ｍｍ、又は１２ｍｍの幅Ｗｃを有し得る。チャネルの幅は、チャネルの実質的に全長にわたって一定であってもよく、又はその長さに沿って変化してもよい。チャネルが吸収性材料の堆積領域８内の吸収性材料非存在ゾーンによって形成される場合、チャネルの幅は材料非存在ゾーンの幅であると見なし、チャネル内に存在する可能性のあるコアラップは度外視する。チャネルが吸収性材料非存在ゾーンによって形成されるのではなく、例えば主として、吸収性材料ゾーンを通じたコアラップの結合によって形成される場合、チャネルの幅はこの結合部の幅となる。
【００４５】
チャネルの少なくともいくつか、又はその全てが恒久的なチャネルであってもよく、これはつまり、乾燥状態及び湿潤状態の両方でその完全性が少なくとも部分的に維持されることを意味する。恒久的なチャネルは、例えば、チャネルの壁内で基材を吸収性材料と接着する助けとなる、接着剤材料の繊維層又は構造用糊剤など、１つ以上の接着剤材料を提供することによって得られてもよい。恒久的なチャネルはまた、チャネル全体を通して、コアラップの上側部及び下側部（例えば、第１の基材１６及び第２の基材１６’）、並びに／又はトップシート２４及びバックシート２５を互いに結合することによって形成されてよい。典型的には、チャネルを通してコアラップの両側部、又はトップシートとバックシートとを結合するために接着剤が用いられ得るが、圧着結合、超音波結合、熱結合、又はこれらの組み合わせなどの他の既知のプロセスによる結合も可能である。コアラップ、又はトップシート２４とバックシート２５とは、チャネルに沿って連続的に結合されるか、又は断続的に結合されてよい。吸収性物品が完全に流体で満たされたとき、チャネルは有利には、少なくともトップシート及び／又はバックシートを通して目に見える状態を維持するか、又は目に見える状態となってもよい。これは、膨潤しないようにチャネルにＳＡＰを実質的に含有させない、また湿潤時に閉じることがないようにチャネルを十分に大きくすることによって得られてもよい。更に、チャネル全体を通してコアラップをそれ自体に結合させるか、又はトップシートをバックシートに結合させることが、有利となる場合がある。
【００４６】
バリアレッグカフ
吸収性物品は、一対のバリアレッグカフ３４を備え得る。各バリアレッグカフは、これが吸収性物品の着用者に面する表面から上方に延在して、およそ着用者の胴体と脚部との接合部において流体及び他の身体滲出物の改善された収容を提供し得るように、物品に結合された材料の小片によって形成され得る。バリアレッグカフは、トップシート２４及び／又はバックシート２５と直接的あるいは間接的に接合された近位縁部６４と、着用者の皮膚に接触して着用者の皮膚との封止を形成するように意図された自由端縁部６６と、によって境界を定められてもよい。バリアレッグカフ３４は、長手方向軸線８０の両側面上で、吸収性物品の前側腰部縁部１０と後側腰部縁部１２との間に少なくとも部分的に延在し、かつ少なくとも股点（Ｃ）又は股部領域の高さに存在する。バリアレッグカフは、糊剤接着、溶融結合、又は他の好適な結合プロセスの組み合わせによって実施され得る結合部６５によって、近位縁部６４で物品のシャーシと接合され得る。近位縁部６４での結合部６５は、連続的又は断続的であってもよい。レッグカフの隆起区間と最も近接する結合部６５は、レッグカフの立ち上がり区間の近位縁部６４の境界を定める。
【００４７】
バリアレッグカフは、トップシート２４又はバックシート２５と一体であってもよく、あるいは物品のシャーシに接合された別個の材料であってもよい。各バリアレッグカフ３４は、より良好な封止を提供するため、自由端縁部６６付近に１つ、２つ、又はそれ以上の弾性ストリング３５を備え得る。
【００４８】
バリアレッグカフ３４に加えて、物品は、吸収性物品のシャーシ、特にトップシート２４及び／又はバックシート２５に接合され、かつバリアレッグカフに対して外方に設置された、ガスケットカフ３２を備え得る。ガスケットカフ３２は、着用者の大腿の周りにより効果的な封止をもたらすことができる。各ガスケットレッグカフは、吸収性物品のシャーシ内のトップシート２４とバックシート２５との間の脚部開口部の領域に、１つ以上の弾性ストリング又は弾性要素３３を備え得る。
【００４９】
捕捉−分配システム
本開示の吸収性物品は、捕捉−分配層又はシステム５０（「ＡＤＳ」）を備え得る。ＡＤＳの一機能は、流体のうちの１つ以上を迅速に捕捉して、これらを効率的に吸収性コアに分配することである。ＡＤＳは、１つ、２つ、又は３つ以上の層を備えてもよく、これらの層は一体の層を形成してもよく、あるいは、互いに取り付けられ得る個別の層として留まっていてもよい。一実施例では、ＡＤＳは、２つの層、つまり吸収性コアとトップシートとの間に配置される分配層５４及び捕捉層５２を備え得るが、本開示はこのようには限定されない。
【００５０】
一実施例では、ＡＤＳが提供されなくてもよく、あるいは分配層のみ、又は捕捉層のみなど、ＡＤＳの一方のみの層が提供されてもよい。本開示の三次元液体透過性有孔基材のうちの１つがトップシートの一部分又は全部として用いられる、あるいはトップシート上に位置決めされる場合は、ＡＤＳの一方の層のみが存在する、又は層が全く存在しない場合、液体透過性基材の乾燥性能が改善され得る。これは、流体が、液体透過性基材から直接吸収性コア２８及び／又は１層のＡＤＳへと容易に吸い上がることができるという事実によるものである。
【００５１】
分配層
ＡＤＳの分配層は、少なくとも５０重量％の架橋セルロース繊維を含み得る。架橋セルロース繊維は、捲縮、加撚、若しくはカールされてもよく、又は捲縮、加撚、及びカールを含むこれらの組み合わせであってもよい。このタイプの材料が、米国特許出願公開第２００８／０３１２６２２（Ａ１）号（Ｈｕｎｄｏｒｆ）に開示されている。
【００５２】
捕捉層
ＡＤＳ５０は、捕捉層５２を備え得る。捕捉層は、分配層５４とトップシート２４との間に配置され得る。捕捉層５２は、スパンボンド層、メルトブロー層、及び更なるスパンボンド層、あるいはその代わりにカーディング加工された短繊維の化学結合不織布を含む、親水性ＳＭＳ又はＳＭＭＳ材料などの不織布材料であってもよく、又はそれを備えてもよい。不織布材料は、ラテックス結合されてもよい。
【００５３】
締結システム
吸収性物品は、締着システムを含んでもよい。締結システムは、テープ付きおむつでは典型的であるように、吸収性物品の外周の周りに横方向の張力を与えて、吸収性物品を着用者に対して保持するために使用され得る。トレーニングパンツ物品の腰部領域は既に結合されているので、この締結システムはこれらの物品の場合は必須ではない場合もある。締結システムは、例えば、テープタブ、フックとループの締結要素、タブ及びスロットのような係合締結具、バックル、ボタン、スナップ、及び／又は雌雄同体締結要素などの締結具を含んでよいが、他の任意の好適な締結機構も、本開示の範囲内である。通常、ランディングゾーン４４は、締結具を着脱自在に取り付けられるように、前側腰部領域５の衣類に面する表面上に提供される。ランディングゾーン４４は、前側腰部領域５における外側カバー不織布材料の単に一部であってもよく、又は外側カバー不織布材料に取り付けられた別個の構成要素であってもよい。
【００５４】
前耳部及び後耳部
吸収性物品は、前耳部４６と後耳部４０とを備え得る。耳部は、トップシート２４及び／又はバックシート２６からサイドパネルとして形成されるような、シャーシと一体になった部分であり得る。あるいは、図１に示すように、耳部は、糊剤接着、熱エンボス加工、及び／又は圧着結合により取り付けられる別個の要素であってもよい。タブ４２をランディングゾーン４４に容易に取り付け、テープ付きおむつを着用者の腰部周りの定位置に保つために、後耳部４０は伸縮可能であり得る。後側耳部４０はまた、弾性のある耳部によって吸収性物品の側部が伸縮し得るため、最初に吸収性物品を着用者に対して適合するようにフィットさせ、続いて吸収性物品が流体で充填されてからかなりの時間が経過した後も着用期間全体を通してこのフィットを維持することによって、より快適で、体に巻き付くようなフィット感を付与するように、弾性又は伸張性であってもよい。
【００５５】
各層間の関係
典型的には、隣接する層及び構成要素は、層表面全体若しくはその一部へのスロットコーティング若しくは吹き付けによる接着剤コーティング、熱結合、圧着結合、又はそれらの組み合わせなど、従来の結合方法を用いて互いに接合され得る。この結合は、明確にかつ読みやすくするために、図には示されていないが（トップシート２４とのレッグカフ６５の隆起要素間の結合を除く）、物品の層同士の結合は、別段に除外されない限り、存在すると見なされるべきである。バックシート２５とコアラップとの間で異なる層の接着性を改善するために、接着剤を用い得る。糊剤は、当該技術分野で既知の、任意の好適なホットメルト糊剤であってよい。
【００５６】
生理用ナプキン
本開示の三次元不織布有孔基材は、トップシートの一部分を形成してよい、トップシートを形成してよい、二次トップシートの一部分若しくは全体を形成してよい、又は生理用ナプキンのトップシートの少なくとも一部分に位置付けられてよい、若しくはそこに接合されてよい。図９を参照すると、吸収性物品は、生理用ナプキン３００を含んでよい。生理用ナプキン３００は、液体透過性トップシート３１４と、液体不透過性、又は実質的に液体不透過性のバックシート３１６と、吸収性コア３０８と、を含んでよい。吸収性コア３０８は、吸収性コア２８に関して本明細書に記載する特徴部のいずれか又は全てを有し得、いくつかの形態では、先に開示した捕捉分配システムの代わりに二次トップシートを有し得る。また、生理用ナプキン３００は、生理用ナプキン３００の長手方向軸線３８０に対して外向きに延在する羽根３２０を含んでよい。生理用ナプキン３００はまた、横方向軸線３９０を含んでよい。羽根３２０は、トップシート３１４、バックシート３１６、及び／又は吸収性コア３０８に接合されていてよい。生理用ナプキン３００はまた、前縁部３２２と、前縁部３２２と長手方向に対向する後縁部３２４と、第１の側縁部３２６と、第１の側縁部３２６と長手方向に対向する第２の側縁部３２８と、を含んでよい。長手方向軸線３８０は、前縁部３２２の中点から後縁部３２４の中点まで延在し得る。横方向軸線３９０は、第１の側縁部３２６の中点から第２の側縁部３２８の中点まで延在し得る。生理用ナプキン３００はまた、例えば、二次トップシート３１９など、当該技術分野において概ね既知のとおり、生理用ナプキンに一般的に見出される追加の特徴部を備えてよい。
【００５７】
三次元有孔基材
本開示の三次元有孔液体透過性基材（例えば、トップシート）は、第１のｚ方向高さを有する第１の要素（例えば、突起部）と、第２のｚ方向高さを有する、少なくとも第２の要素（例えば、ランド領域）と、を含み得る。基材はまた、複数の孔を有してよい。基材はまた、少なくとも第３のｚ方向高さを有する少なくとも第３の要素を有してよい。かかる構造により、流体は着用者の皮膚から離れて速やかに移動し得、着用者の皮膚と接触している、第１のｚ方向高さを有する第１の要素から主として離れ、それによって、着用者により乾燥したように感じさせる。流体は、重力によって、又は毛細管勾配によって第２の要素及び／又は少なくとも第３の要素に流入し、孔を通って流れてよく、それにより流体は、吸収性物品に吸収され得る。本開示の三次元有孔基材を提供することにより、流体／皮膚接触と、流体が着用者の皮膚と接触している時間を低減させることができる。更に第１のｚ方向高さを有する第１の要素は、流体が吸収性物品に吸収されている間、流体と着用者の皮膚との間のスペーサーとして作用してよい。基材は、本明細書に更に記載されるように、孔に近接して位置付けられた親水性材料を有する２つの疎水性不織布層を含むことができる。他の例では、基材は、単一の疎水性不織布層又は３つの疎水性不織布層を含んでもよい。
【００５８】
図１０〜図１３を参照すると、三次元有孔液体透過性基材４００は、吸収性物品４０２のトップシートとして例示されている。図１０は、着用者に面する表面が図を見る人に面している、吸収性物品４０２の上面図である。図１１は、着用者に面する表面が図を見る人に面している、吸収性物品４０２の斜視図である。図１２は、着用者に面する表面が図を見る人に面している、吸収性物品上の液体透過性有孔基材４００の一部分の上面図である。図１３は、着用者に面する表面が図を見る人に面している、吸収性物品４０２上の三次元有孔基材４００の一部分の別の上面図である。
【００５９】
一形態では、三次元有孔基材４００、又は本明細書に記載の他の三次元有孔基材は、吸収性物品４０２のトップシートに位置付けられた、及び／又はこれらに接合されたパッチ又はストリップを含んでよい。パッチ又はストリップは、トップシートに結合されてよい、トップシートに接着剤で取り付けられてよい、トップシートに冷間圧接されてよい、トップシートに超音波結合されてよい、及び／又は他の方法でトップシートに接合されてよい。あるいは、本開示の三次元有孔基材は、トップシート（例えば、トップシート２４）を含んでよいか、トップシート全体を形成してよいか、又はトップシートの一部分を形成してもよい。また、トップシート２４は、本開示の三次元有孔基材のうちの１つ以上のみで構成されてよい。各種構成のいずれにおいても、本開示の三次元有孔基材は、吸収性物品の着用者に面する表面の少なくとも一部分を形成し、着用者の皮膚と少なくとも部分的に接触することを意図する。
【００６０】
図１４〜図１６を参照すると、トップシート２４に接合されたパッチ又はストリップ形態である三次元有孔基材４００、又は本明細書に記載の他の三次元有孔基材は、機械横断方向幅Ｗ１を有してよく、一方トップシート２４は、機械横断方向幅Ｗ２を有してよい。Ｗ１は、幅Ｗ２よりも小さくてよい、幅Ｗ２と同一でよい、幅Ｗ２と実質的に同一でよい、又は幅Ｗ２よりも大きくてよい（図示なし）。幅Ｗ１はまた、液体透過性基材の長手方向長さを通じて変動しても、一定であってもよい。更に図１４〜図１６を参照すると、パッチ又はストリップ形態である三次元有孔基材４００、又は本明細書に記載の他の三次元有孔基材は、機械方向長さＬ１を有してよく、一方トップシート２４は、機械方向長さＬ２を有してよい。Ｌ１は、長さＬ２よりも小さくてよい、長さＬ２と同一でよい、長さＬ２と実質的に同一でよい、又は長さＬ２よりも大きくてよい（図示なし）。長さＬ１は、液体透過性基材の幅Ｗ１にわたって変動しても、一定であってもよい。図１４〜図１６に図示されていないが、トップシート２４及び三次元有孔基材の長さ及び幅は同一でよい、又は実質的に同一でよい。
【００６１】
図１４〜図１６において、三次元有孔基材４００のパッチ又はストリップは矩形として図示されているが、本開示の三次元有孔基材はまた、前側／後側輪郭形状（即ち、前側がより広い、後側がより広い、及び／又は股部がより狭い）、正方形、卵形、又は他の好適な形状など任意の他の好適な形状を有してよい。三次元有孔基材４００の側縁部４０４及び／又は端縁部４０６は、それらから切り取られた１つ以上の弓形部分、デザイン、及び／又は形状を有して、液体透過性有孔基材４００に審美的に魅力がある外観をもたらしてよい。一方の側縁部４０４は、トップシート２４の長手方向軸線４０８に対して、他方の側縁部４０４と対称又は非対称であってもよい。同様に、一方の端縁部４０６は、トップシート２４の横方向軸線４１０に対して、他方の側縁部４０６と対称又は非対称であってよい。
【００６２】
三次元有孔基材４００は、不織布材料の１つ以上の層を含むことができる。２つ以上の層が設けられる場合、層は、機械的結合、接着剤結合、圧力結合、熱結合、両層に加熱気体を通過させること、又は接合して多層基材４００を形成する他の方法により、一緒に接合されるか、互いに取り付けられてよい。あるいは、層は、第１のタイプ及び第２のタイプのステープル繊維のための第１及び第２のカーディング操作など以降の繊維レイダウン工程、又は添加物を含む高分子フィラメントの、２つの連続するスパンレイのビームにて形成されてもよい。１つ以上の層は、孔に近接する１つ以上の親水性材料を有して疎水性であってもよい。
【００６３】
三次元有孔基材の第１の層は、複数の第１の繊維及び／又はフィラメント（本明細書で以後、共に繊維と称する）を含んでよい。複数の第１の繊維は、同一の、又は実質的に同一の、又は異なるサイズ、形状、組成、デニール、繊維径、繊維長さ、及び／又は重量の繊維を含んでよい。三次元有孔基材の第２の層は、複数の第２の繊維を含んでもよい。複数の第２の繊維は、同一の、又は実質的に同一の、又は異なるサイズ、形状、組成、デニール、繊維径、繊維長さ、及び／又は重量の繊維を含んでよい。複数の第１の繊維は、複数の第２の繊維と同一、実質的に同一、又は異なっていてよい。追加の層は、同一又は異なる構成を有してよい。単一の材料が三次元有孔基材として設けられる場合には、単一層は、１つ以上のタイプの繊維を有してもよい。２つ以上のタイプの繊維を設ける場合、繊維は、寸法、形状、組成、デニール、繊維径、繊維長さ及び／又は重量が異なってもよい。
【００６４】
第１の層及び／若しくは第２の層、又は単一の不織布基材は、シース及びコアを有する２成分繊維を含んでよい。シースはポリエチレンを含んでよく、コアはポリエチレンテレフタレート（ＰＥＴ）を含んでよい。シース及びコアはまた、当業者に既知の任意の他の好適な材料を含み得る。シース及びコアは、それぞれ繊維の約５０重量％の繊維を含み得るが、その他の変更例（例えば、シース６０％、コア４０％；シース３０％、コア７０％など）もまた本開示の範囲内である。第１の層及び／若しくは第２の層を構成している２成分繊維又は他の繊維、又は単一不織布基材は、約０．５〜約６、約０．７５〜約４、約１．０〜約４、約１．２〜約４、約１．５〜約３．５、約１．５〜約２．５の範囲、約２、約３、又は約４のデニールを有してよく、具体的には、特定した範囲内の全ての０．１デニールの増分、及びその中の又はそれにより形成される全範囲を含む。デニールは、９０００メートルの繊維長さ当たりの質量（グラム単位）として定義される。他の例では、第１の層の繊維のデニールは、約１デニール〜約４デニール、約１．２デニール〜約４デニール、約１．５デニール〜約６デニール、又は約２デニール〜約４デニールの範囲であってよく、第２の層の繊維のデニールは、約１デニール〜約４デニール、約１デニール〜約３．５デニール、又は約１デニール〜約３デニールの範囲であってよく、具体的には、特定した範囲内の全ての０．１デニールの増分、及びその中の又はそれにより形成される全範囲を列挙する。特定の場合では、第１の層の繊維は、特定の吸収性物品中で使用されている特定の捕捉及び／又は分配システムに少なくとも部分的に応じて、第２の層の繊維のデニールよりも少なくとも０．５デニール、少なくとも１デニール、少なくとも１．５デニール、又は少なくとも２デニール大きくてよい。他の例では、第１及び第２の層における繊維のデニールは、同じであっても、又は実質的に同様であってもよい。第２の層の繊維のデニールよりも大きいデニールを有する第１の層の繊維を提供することにより、液体透過性有孔基材中に細孔勾配が設けられる。この細孔勾配は、より良好な乾燥状態、及び／又は液体透過性有孔基材中の捕捉をもたらし得る。第１の層中のより大きいデニールを有する繊維は、第２の層中のより小さいデニールを有する繊維よりも大きい細孔を提供し、それにより層の間に細孔勾配をもたらす。
【００６５】
場合によっては、第１の層の繊維は、第２の層における繊維のデニールよりも低いデニールを有してもよい。例えば、第１の層の繊維は、約２〜約３のデニールを有してもよく、第２の層の繊維は、約３〜約４のデニールを有してもよい。両方の層が疎水性である状態で、第１の層に関してより小さな繊維（より小さいデニール）を使用することは、ソフトグライドタッチの柔軟性を提供することができ、より厚い繊維（より大きなデニール）は、クッション性柔軟性のために第２の層で使用されてもよい。
【００６６】
複数の第１の繊維及び第２の繊維（単一の不織布基材中の繊維を含む）はまた、例えば、ポリ乳酸、熱可塑性澱粉含有持続性樹脂、他の持続性樹脂、バイオ−ＰＥ、バイオ−ＰＰ、及びバイオ−ＰＥＴ、ビスコース繊維、レーヨン繊維、又は他の好適な不織布繊維などの、ＰＥＴ以外の、ポリプロピレン繊維、他のポリオレフィン、他のポリエステルなどの任意の他の好適なタイプの繊維を含んでよい。これらの繊維は、任意の好適なデニール若しくはデニール範囲、及び／又は繊維長さ若しくは繊維長さ範囲を有してよい。複数の第１の繊維及び第２の繊維（単一の不織布基材中の繊維を含む）は、自然な疎水性の状態で残存していてもよいし、より疎水性になるように更に処理されていてもよい。
【００６７】
第１の層は、約１０ｇｓｍ〜約２５ｇｓｍの範囲の坪量を有してよい。第２の層は、約１０ｇｓｍ〜約４５ｇｓｍの範囲の坪量を有してよい。基材（第１の層及び第２の層の両方、又は単一層変更例）の坪量は、例えば、約２０ｇｓｍ〜約７０ｇｓｍ、約２０ｇｓｍ〜約６０ｇｓｍ、約２５ｇｓｍ〜約５０ｇｓｍ、約３０ｇｓｍ〜約４０ｇｓｍの範囲、約３０ｇｓｍ、約３５ｇｓｍ、又は約４０ｇｓｍであってよい。
【００６８】
一形態では、基材の坪量は、約３０ｇｓｍ〜約４０ｇｓｍ又は約３５ｇｓｍであってよい。一例では、第１の層は、約１０ｇｓｍ〜約２０ｇｓｍの範囲、又は約１５ｇｓｍの坪量を有してよく、第２の層は、約１５ｇｓｍ〜約２５ｇｓｍの範囲、又は約２０ｇｓｍの坪量を有してよい。別の例では、基材の坪量は、約２０ｇｓｍであってよい。かかる例では、第１の層は約１０ｇｓｍの坪量を有してよく、第２の層は約１０ｇｓｍの坪量を有してよい。更に別の例では、基材の坪量は、約６０ｇｓｍであってよい。かかる例では、第１の層は約２４ｇｓｍの坪量を有してよく、第２の層は３６ｇｓｍの坪量を有してよい。基材の第１の層及び第２の層、又は単一層基材に関する全ての他の好適な坪量範囲は、本開示の範囲内に含まれる。したがって、基材の層、又は単一層基材の坪量は、特定の製品の必要条件のために設計されてもよい。
【００６９】
具体的には、上記に特定した坪量の範囲内の全ての０．１ｇｓｍ刻み、及びその中の又はそれにより形成される全範囲を本明細書に列挙する。本開示の全ての坪量数は、本明細書の秤量試験に応じて測定される。
【００７０】
場合によっては、第２の層と比較して第１の層がより大きい坪量を有することが望ましいことがある。例えば、第１の層の坪量は、第２の層の坪量の少なくとも約１〜約４倍、少なくとも約１〜約３．５倍、約１．５〜約３倍、約１．５倍間〜約３倍、約２倍、約２．５倍、又は約３倍であってよい。場合によっては、例えば、第１の層の坪量は約２０ｇｓｍ〜約３０ｇｓｍの範囲であってよく、第２の層の坪量は約１０ｇｓｍ〜約２０ｇｓｍの範囲であってよい。具体的には、上記に特定した坪量の範囲内の全ての０．１ｇｓｍ刻み、及びその中の又はそれにより形成される全範囲を本明細書に列挙する。
【００７１】
場合によっては、第１の層と比較して第２の層がより大きい坪量を有することが望ましいことがある。例えば、第２の層の坪量は、第１の層の坪量の少なくとも約１〜約４倍、少なくとも約１〜約３．５倍、約１．５〜約３倍、約１．５倍間〜約３倍、約２倍、約２．５倍、又は約３倍であってよい。場合によっては、例えば、第２の層の坪量は約２０ｇｓｍ〜約３０ｇｓｍの範囲であってよく、第１の層の坪量は約１０ｇｓｍ〜約２０ｇｓｍの範囲であってよい。具体的には、上記に特定した坪量の範囲内の全ての０．１ｇｓｍ刻み、及びその中の又はそれにより形成される全範囲を本明細書に列挙する。
【００７２】
更に他の例では、第１及び第２の層の坪量は、同じであっても、又は実質的に同様であってもよい。
【００７３】
図１７は、着用者に面する表面が図を見る人に面している、三次元有孔不織布液体透過性基材の一部分の正面図である。図１８は、図１７の三次元有孔不織布液体透過性基材の一部分の正面斜視図である。図１９は、着用者に面する表面が図を見る人に面している、三次元有孔不織布液体透過性基材の一部分の別の正面図である。図２０は、図１９の基材の一部分の正面斜視図である。図２１は、着用者に面する表面が図を見る人に面している、三次元有孔不織布液体透過性基材の一部分の背面図である。図２２は、図２１の基材の一部分の背面斜視図である。図２３は、着用者に面する表面が図を見る人に面している、三次元有孔不織布液体透過性基材の一部分の別の背面図である。図２４は、図２３の基材の一部分の背面斜視図である。図２５は、本開示の三次元有孔不織布液体透過性基材の断面図である。
【００７４】
概して図１７〜図２５を参照すると、液体透過性基材４００は、第１の層及び第２の層、単一の層、又は３つ以上の層を含んでよい。基材４００は、複数のランド領域４１２、複数の陥没部４１４、及び複数の突起部４１６を含んでよい。上述したように、複数の突起部４１６は、第１のｚ方向高さを有する第１の要素を形成してよく、ランド領域４１２は、第２のｚ方向高さを有する第２の要素を形成してよい。複数のランド領域４１２、複数の陥没部４１４、及び複数の突起部４１６は、共に、基材４００の第１の側４１８に第１の三次元表面を形成してよい。複数のランド領域４１２、複数の陥没部４１４、及び複数の突起部４１６はまた、基材４００の第２の側４２０に第２の三次元表面を形成してよい。突起部４１６は、液体透過性基材４００の着用者に面する表面で概ねドーム形状であってよく、液体透過性基材４００の着用者に面する表面で中空アーチ形状であってよい。陥没部４１４の全て若しくは大部分（即ち、５０％超、又は７５％超）、又はその実質的に全ては、隣接する突起部４１６の頂部ピーク４２５から最も遠位の位置において孔４２２を画定してよい。孔４２２の大部分、又はその全ての外周部４２３は、基材４００の最下部又は平面を形成してよく、一方、突起部４１６の大部分、又はその全ての頂部ピーク４２５（即ち、最上部）は、基材４００の最上部又は平面を形成してよい。孔４２２は、基材４００の第１の層及び第２の層を通って延在してよい。
【００７５】
ランド領域４１２は、（１）隣接する突起部４１６と、（２）隣接する陥没部４１４及び／又は隣接する孔４２２との間に位置付けられてよい。ランド領域４１２はまた、陥没部４１４及び／又は孔の大部分若しくは全ての少なくとも一部、又は全てと、突起部４１６の少なくとも大部分、若しくは全てを包囲してよい。ランド領域４１２は、孔４２２の少なくとも大部分の外周部の平面と、突起部４１６の頂部ピーク４２５の少なくとも大部分の平面との間に位置付けられてよい。
【００７６】
突起部４１６は、陥没部４１４及び／又は孔４２２と、液体透過性基材４００の横方向軸線４２４と概ね平行な方向に交互に配置されてよい。横方向軸線４２４は、図１４〜図１６に図示された横方向軸線４１０と概ね平行である。突起部４１６はまた、陥没部４１４及び／又は孔４２２と、液体透過性基材４００の長手方向軸線４２６と概ね平行な方向に交互に配置されてよい。長手方向軸線４２６は、図１４〜図１６に図示された長手方向軸線４０８と概ね平行である。かかる構成では、横方向軸線４２４と概ね平行な方向に、又は長手方向軸線４２６と概ね平行な方向に、突起部４１６、並びに陥没部４１４及び／又は孔４２２は交互になっている（即ち、突起部、陥没部及び／又は孔、突起部、陥没部及び／又は孔）。この特徴は、隣接する陥没部４１４及び／又は孔４２２の大部分、又はその全ての間に柔らかな突起ピーク４２５があるという点で、基材４００に対してより良好な柔らかさを提供する。この特徴はまた、突起部４１６が皮膚と流体との間にスペーサーを本質的に形成するために、着用者の皮膚をランド領域４１２及び／又は陥没部４１４内の流体から離れる方向に維持することに役立つ。
【００７７】
２つ以上の隣接する突起部４１６は、横方向軸線４２４に概ね平行な方向に、又は長手方向軸線４２６に概ね平行な方向に、陥没部４１４及び／又は孔４２２並びに１つ以上のランド領域４１２によって互いに分離されてよい。２つ以上の隣接する陥没部４１４及び／又は孔４２２は、横方向軸線４２４に概ね平行な方向に、又は長手方向軸線４２６に概ね平行な方向に、突起部４１６及び１つ以上のランド領域４１２によって分離されてよい。ランド領域４１２は、孔４２２及び突起部４１６を完全に取り囲んでよい。ランド領域４１２は、基材４００を通って概ね連続的な格子を形成してよく、一方、突起部４１６及び陥没部４１４及び／又は孔４２２は、基材にわたって別個の要素であってよい。
【００７８】
場合によっては、２つ以上の、例えば４つの突起部４１６が、陥没部４１４及び／又は孔４２２の少なくとも大部分、実質的にその全て、又はその全ての周囲に位置付けられてよい（これは、突起部４１６と陥没部４１４及び／又は孔４２２との間のランド領域４１２を含まない）。２つ以上の、例えば４つの陥没部４１４及び／又は孔４２２が、突起部４１６の少なくとも大部分、実質的にその全て、又はその全ての周囲に位置付けられてよい（これは、陥没部４１４及び／又は孔４２２と突起部４１６との間のランド領域４１２を含まない）。突起部４１６、陥没部４１４、孔４２２、及びランド領域４１２は全て、基材の第１及び第２の層の一部分から（又は単一層のみが設けられている場合、単一層で）形成されてよい。２つを超える層が基材に設けられる場合、突起部４１６、陥没部４１４、孔４２２、及びランド領域４１２は全て、基材の第１、第２、及び第３の層の一部分から形成されてよい。特定の基材に３つを超える層が設けられている場合も同様であり得る。別の場合では、ランド領域４１２は、第１の層のみに形成されてよい。
【００７９】
孔４２２及び／又は陥没部４１４は、基材４００に第１の線を共に形成する、第１の組の孔及び／又は陥没部４１４と、基材４００に第２の線を共に形成する、第２の組の孔４２２及び／又は陥没部４１４と、を含んでよい。第１の線は、第２の線と概ね平行であるか、又はこれに対して概ね垂直であってもよい。第１の線はまた、第２の線と鋭角又は鈍角を形成してもよい。突起部４１６は、基材４００に第１の線を共に形成する、第１の組の突起部４１６と、基材４００に第２の線を共に形成する、第２の組の突起部４１６と、を含んでよい。第１の線は、第２の線と概ね平行であるか、又はこれに対して概ね垂直であってもよい。第１の線はまた、第２の線と鋭角又は鈍角を形成してもよい。
【００８０】
基材４００は、横方向軸線４２４に関して概ね対称であってよく、及び／又は長手方向軸線４２６に関して概ね対称であってよい。他の場合では、基材は、横方向軸線４２４及び／又は長手方向軸線４２６に関して対称でなくてよい。
【００８１】
一形態では、基材４００は、横方向軸線４２４に平行な方向に延在する、交互の孔４２２及び突起部４１６を含む第１の線と、横方向軸線４２４に概ね平行な方向に延在する、交互の孔４２２及び突起部４１６を含む第２の隣接する線とを含んでもよい。これらの線は、孔４２２及び突起部４１６の中心を通ることになる。例として、図１７の線Ａ及びＢを参照されたい。線Ｃが、長手方向軸線４２６と概ね平行であり、かつ線Ａ及びＢと交差する方向に引かれると、孔４２２は線ＡとＣの交点に位置することになり、突起部４１６は線ＢとＣの交点に位置することになる。図１９に図示されるように、線Ａ及びＢが長手方向軸線４２６に平行な方向に引かれ、線Ｃが横方向軸線４２４に概ね平行な方向に引かれた場合も同じである。線が異なる位置で引かれる場合、線Ａ及びＣの交点が突起部４１６を有してよく、また線Ｂ及びＣの交点が孔４２２を有してよい。主な点は、孔の列及び突起部の列が互い違いになっていることである。この様式で孔及び突起部を互い違いにすることにより、柔らかい突起部又は突起部頂部が２つの孔の間にあるために、基材４００の着用者に面する表面においてより良好な柔らかさが得られる。
【００８２】
三次元基材のパラメータ
突起部４１６の全て又は大部分は、約３００μｍ〜約６０００μｍ、約４００μｍ〜約５０００μｍ、約４００μｍ〜約４０００μｍ、約３００μｍ〜約３０００μｍ、約５００μｍ〜約３０００μｍ、約５００μｍ〜約２０００μｍ、約７５０μｍ〜約１５００μｍ、約８００μｍ〜約１４００μｍ、約９００μｍ〜約１３００μｍ、約１０００μｍ〜約１３００μｍ、約１１００μｍ〜約１２００μｍの範囲、約１１６５、約１１６６、約１１６７、又は約１１５０μｍ〜約１２００μｍの範囲のｚ方向高さを有してよく、具体的には、上記に特定した範囲内の全ての１μｍ増分、及びその中の又はそれにより形成される全範囲を列挙する。突起部４１６のｚ方向高さは、本明細書に記載の突出部高さ試験に従って測定される。
【００８３】
陥没部４１４の全て又は大部分は、約２００μｍ〜約３０００μｍ、約３００μｍ〜約２０００μｍ、約１００μｍ〜約２０００μｍ、約４００μｍ〜約２０００μｍ、約５００μｍ〜約１５００μｍ、約７００μｍ〜約１３００μｍ、約８００μｍ〜約１２００μｍ、約９００μｍ〜約１１００μｍ、約９００μｍ〜約１０００μｍ、約９７０μｍ、又は約９５０μｍ〜約１０００μｍの範囲のｚ方向高さを有してよく、具体的には、上記に特定した範囲内の全ての１μｍ増分、及びその中の又はそれにより形成される全範囲を列挙する。陥没部４１６のｚ方向高さは、本明細書に記載の陥没部高さ試験に従って測定される。
【００８４】
基材４００、又はその一部分は、約５００μｍ〜約６０００μｍ、約８００μｍ〜約６０００μｍ、約７５０μｍ〜約４０００μｍ、約１０００μｍ〜約６０００μｍ、約１５００μｍ〜約６０００μｍ、約１０００μｍ〜約３０００μｍ、約１５００μｍ〜約２５００μｍ、約１７５０μｍ〜約２３００μｍ、約１９００μｍ〜約２３００μｍ、約２０００μｍ〜約２３００μｍ、約２１００μｍ〜約２２５０μｍ、約２１３６μｍ、又は約２１３５μｍの範囲の全ｚ方向高さを有してもよく、具体的には、上記に特定した範囲内の全ての１μｍ増分、及びその中の又はそれにより形成される全範囲を列挙する。基材４００又はその一部分の全ｚ方向高さは、本明細書に記載の全基材高さ試験に従って測定される。
【００８５】
孔４２２の大部分又はその全ては、約０．４ｍｍ２〜約１０ｍｍ２、約０．５ｍｍ２〜約８ｍｍ２、約０．５ｍｍ２〜約３ｍｍ２、約０．５ｍｍ２〜約４ｍｍ２、約０．５ｍｍ２〜約５ｍｍ２、約０．７ｍｍ２〜約６ｍｍ２、約０．７ｍｍ２〜約３ｍｍ２、約１ｍｍ２〜約４ｍｍ２、約１ｍｍ２〜約５ｍｍ２、約０．８ｍｍ２〜約３ｍｍ２、約０．９ｍｍ２〜約１．４ｍｍ２の範囲、約１ｍｍ２、約１．１ｍｍ２、約１．２ｍｍ２、約１．２３ｍｍ２、約１．３ｍｍ２、又は約１．４ｍｍ２の有効孔面積を有してよく、具体的には、上記に特定した範囲内の全ての０．１ｍｍ２増分、及びその中の又はそれにより形成される全範囲を列挙する。孔の有効孔面積は、本明細書に記載の孔試験に従って測定される。
【００８６】
孔４２２の大部分又は全ては、約０．５ｍｍ〜約４ｍｍ、約０．８ｍｍ〜約３ｍｍ、約１ｍｍ〜約２ｍｍ、約１．２ｍｍ〜約１．８ｍｍ、約１．４ｍｍ〜約１．６ｍｍの範囲、約１．４９、又は約１．５ｍｍのフェレ径（孔の長さ）を有してもよく、具体的には、上記に特定した範囲内の全ての０．１ｍｍ増分、及びその中の又はそれにより形成される全範囲を列挙する。孔のフェレ径は、本明細書に記載の孔試験に従って測定される。
【００８７】
孔４２２の大部分又は全ては、約０．５ｍｍ〜約４ｍｍ、約０．７ｍｍ〜約３ｍｍ、約０．８ｍｍ〜約２ｍｍ、約０．９ｍｍ〜約１．３ｍｍ、約１ｍｍ〜約１．２ｍｍの範囲、約１ｍｍ、約１．１ｍｍ、約１．１１ｍｍ、約１．２ｍｍ、又は約１．３ｍｍの最小フェレ径（孔の幅）を有してもよく、具体的には、上記に特定した範囲内の全ての０．１ｍｍ増分、及びその中の又はそれにより形成される全範囲を列挙する。孔の最小フェレ径は、本明細書に記載の孔試験に従って測定される。
【００８８】
孔４２２の大部分又は全ては、約０．３〜約２．５、約０．５〜約２、約０．８〜約１．６、約１〜約１．５、約１．１〜約１．５の範囲、約１．２、約１．３、約１．３５、約１．４、又は約１．５の最小フェレ径に対するフェレ径比を有してよく、具体的には、上記に特定した範囲内の全ての０．１増分、及びその中の又はそれにより形成される全範囲を列挙する。フェレ径比は、孔のフェレ径を孔の最小フェレ径で除算することにより計算される。
【００８９】
突起部を横切って測定される、隣接する孔の大部分又は全ての、横方向軸線中心−中心の平均孔間隔は、約２ｍｍ〜約２０ｍｍ、約２ｍｍ〜約１５ｍｍ、約３ｍｍ〜約１２ｍｍ、約３ｍｍ〜約１０ｍｍ、約３ｍｍ〜約８ｍｍ、約３ｍｍ〜約７ｍｍの範囲、約４ｍｍ、約５ｍｍ、約６ｍｍ、約７ｍｍ、約４ｍｍ〜約６ｍｍ、約５ｍｍ〜約６ｍｍの範囲、約４．８ｍｍ、約４．９ｍｍ、約５．０ｍｍ、約５．１ｍｍ、約５．２ｍｍ、約５．３ｍｍ、約５．４ｍｍ、約５．５ｍｍ、約５．６ｍｍ、約５．７ｍｍ、約５．８ｍｍ、又は約５．９ｍｍであり、具体的には、上記に特定した範囲内の全ての０．１ｍｍ増分、及びその中の又はそれにより形成される全範囲を列挙する。隣接する孔の横方向軸線中心−中心の平均間隔は、本明細書に記載の平均孔間隔試験（横方向軸線孔間隔）に従って測定される。
【００９０】
突起部を横切って測定される、隣接する孔の大部分又は全ての、長手方向軸線中心−中心の平均孔間隔は、約２ｍｍ〜約２０ｍｍ、約２ｍｍ〜約１５ｍｍ、約３ｍｍ〜約１２ｍｍ、約３ｍｍ〜約１０ｍｍ、約３ｍｍ〜約８ｍｍ、約３ｍｍ〜約７ｍｍの範囲、約４ｍｍ、約５ｍｍ、約６ｍｍ、約７ｍｍ、約４ｍｍ〜約６ｍｍ、約５ｍｍ〜約６ｍｍの範囲、約４．８ｍｍ、約４．９ｍｍ、約５．０ｍｍ、約５．１ｍｍ、約５．２ｍｍ、約５．３ｍｍ、約５．４ｍｍ、約５．５ｍｍ、約５．６ｍｍ、約５．７ｍｍ、約５．８ｍｍ、又は約５．９ｍｍであり、具体的には、上記に特定した範囲内の全ての０．１ｍｍ増分、及びその中の又はそれにより形成される全範囲を列挙する。隣接する孔の長手方向軸線中心−中心の平均間隔は、本明細書に記載の平均孔間隔試験（長手方向軸線孔間隔）に従って測定される。
【００９１】
突起部４１６の大部分又は全ては、吸収性物品の横方向軸線に平行な方向で取って、約１ｍｍ〜約１５ｍｍ、約１ｍｍ〜約１０ｍｍ、約１ｍｍ〜約８ｍｍ、約１ｍｍ〜約６ｍｍ、約１．５ｍｍ〜約６ｍｍ、約２ｍｍ〜約５ｍｍの範囲内の最大断面直径を有してよく、具体的には、上記に特定した範囲内の全ての０．１ｍｍ増分、及びその中の又はそれにより形成される全範囲を列挙する。
【００９２】
突起部４１６の大部分又は全ては、吸収性物品の長手方向軸線に平行な方向で取って、約１ｍｍ〜約１５ｍｍ、約１ｍｍ〜約１０ｍｍ、約１ｍｍ〜約８ｍｍ、約１ｍｍ〜約６ｍｍ、約１．５ｍｍ〜約６ｍｍ、約２ｍｍ〜約５ｍｍの範囲の最大断面直径を有してよく、具体的には、上記に特定した範囲内の全ての０．１ｍｍ増分、及びその中の又はそれにより形成される全範囲を列挙する。
【００９３】
本開示の基材は、約１％〜約５０％、約１％〜約４０％、約３％〜約３５％、約５％〜約２５％、約５％〜約２０％、約６％〜約１８％、約５％〜約１５％、約９％〜約１３％の範囲、約８％、約９％、約１０％、約１１％、約１２％、約１３％、又は約１４％の有効孔面積％を有してよく、具体的には、上記に特定した範囲内の全ての０．１％増分、及びその中の又はそれにより形成される全範囲を列挙する。基材の有効孔面積％は、本明細書に記載される孔試験に従って測定される。
【００９４】
本開示の基材は、約１ｍｍ〜約５０ｍｍ、約１ｍｍ〜約３０ｍｍ、約２ｍｍ〜約２０ｍｍ、約２ｍｍ〜約１５ｍｍ、約２ｍｍ〜約１０ｍｍ、約３ｍｍ〜約８ｍｍの範囲、約４ｍｍ、約５ｍｍ、約５．４２ｍｍ、約６ｍｍ、又は約７ｍｍの外周部を有する孔を有してよく、具体的には、上記に特定した範囲内の全ての０．１ｍｍ増分、及びその中の又はそれにより形成される全範囲を列挙する。孔の外周部は、本明細書に記載の孔試験に従って測定される。
【００９５】
比率
有効孔面積％に対する突起部の高さ（μｍ）の比率は、約７０〜約１６０、約８０〜約１５０、約１００〜約１４５、約９５〜約１５０、約１００〜約１４０、約１１０〜約１３０、約１１５〜約１３０、約１１８〜約１２５の範囲、約１２０、約１２１、約１２２、約１２２．７４、約１２３、又は約１２４であってよく、具体的には、上記に特定した範囲内の全ての０．１増分、及びその中の又はそれにより形成される全範囲を列挙する。
【００９６】
有効孔面積％に対する全基材高さ（μｍ）の比は、約１２５〜約３５０、約１５０〜約３００、約１７５〜約２７５、約２００〜約２５０、約２１５〜約２３５、約２２０〜約２３０の範囲内、又は約２２５であってよく、具体的には、上記に特定した範囲内の全ての０．１増分、及びその中の又はそれにより形成される全範囲を列挙する。
【００９７】
本開示の基材は、１つ以上の色、染料、インク、目印（indicias）、パターン、エンボス、及び／又は図形を含んでもよい。色、染料、インク、目印、パターン、及び／又は図形は、基材の審美的外観を補助し得る。
【００９８】
本開示の基材は、ふきん、ワイプ（湿潤又は乾燥）、吸収性物品、化粧落とし基材、ペーパータオル、トイレットペーパー、ティッシュペーパー、医療用ガウン、外科用基材、ラップ、濾過基材、又は任意の他の好適な製品などの任意の好適な製品の一部分又は全体として使用されてよい。
【００９９】
三次元有孔基材又は三次元有孔基材を含む吸収性物品の作製方法
本開示の三次元有孔不織布基材、及び三次元有孔不織布基材を含む吸収性物品は、手で作製されてもよく、又は高速で工業的に製造されてよい。
【０１００】
図２６は、本開示の基材の形成プロセスの一例の概略図である。図２７は、第１及び第２のロールの一部分の噛み合い係合の図である。図２８は、第１のロールの一部分の図である。図２９は、第２のロールの一部分の図である。
【０１０１】
図２６〜図２９を参照すると、本開示の基材は、１つ以上の層基材３９９（非三次元）を、２つの噛み合いロール５０４及び５０６によって形成されるニップ５０２に通過させ、三次元基材４００を形成することによって形成することができる。ロール５０４及び５０６は、加熱されてよい。第１のロール５０４は、（第２のロールと組み合わされて）基材４００に孔４２２及び陥没部４１４を形成してよく、第２のロール５０６は、（第１のロールと組み合わされて）基材４００に突起部４１６を形成してよい。第１のロール５０４は、第１のロール５０４から径方向外側に延出する複数の円錐形状の突出部５０８を含んでよい。第１のロール５０４はまた、第１のロール５０４の径方向外側表面に形成された複数の陥没部５１０を含んでよい。第２のロール５０６は、第２のロール５０６から径方向外側に延出する複数のドーム形状の突出部５１２を含んでよい。第２のロール５０６はまた、第２のロール５０６の径方向外側表面に形成された複数の陥没部５１４を含んでよい。第１のロール５０４上の突出部５０８は、第２のロール５０６上の突出部５１２とは異なるサイズ、形状、高さ、面積、幅、及び／又は寸法を有してよい。第１のロール５０４に形成された陥没部５１０は、第２のロール５０６に形成された陥没部５１４とは異なるサイズ、形状、高さ、面積、幅、及び／又は寸法を有してよい。第１のロール５０４の陥没部５１０は、ドーム形状の突出部５１２を少なくとも部分的に受容するように構成され得、それにより基材４００に突起部４１４を形成する。陥没部５１０は、突起部４１４及び突起部ピーク４２５を形成している基材の部分が圧縮されないように、又は十分に圧縮されないように、十分深くてよい。具体的には、ドーム形状の突出部５１２が陥没部５１０に係合する際、径方向の表面間に十分な深さの空間が残留するため、突起部４１４での基材の厚さは、陥没部５１０の厚さよりも大きい。この特徴により、突起部４１４を形成している基材の部分を圧縮するのと比較して、より柔らかい感触及びより大きい高さを有する突起部４１４が提供される。第２のロール５０６の陥没部５１４は、円錐形状の突出部５０８を少なくとも部分的に受容するように構成され得、それにより基材４００に陥没部４１４及び孔４２２を形成する。
【０１０２】
パッケージ
本開示の吸収性物品はパッケージに入れられてもよい。パッケージは、高分子フィルム及び／又は他の材料を含んでよい。吸収性物品の特性に関する図形及び／又は目印は、パッケージの外側部分に形成され、印刷され、位置付けられ、及び／又は配置されてよい。それぞれのパッケージは、複数の吸収性物品を含んでよい。吸収性物品は、１パッケージ当たり妥当な量の吸収性物品を依然として提供しながら、パッケージのサイズを低減するように圧縮下で包装されてもよい。吸収性物品を圧縮下で包装することによって、介護者は、パッケージを容易に扱い、保管することができると共に、パッケージのサイズによる流通コストの削減を製造業者にもたらすことができる。
【０１０３】
したがって、本開示の吸収性物品のパッケージは、本明細書に記載のバッグ内スタック高さ試験に基づいて、約１１０ｍｍ未満、約１０５ｍｍ未満、約１００ｍｍ未満、約９５ｍｍ未満、約９０ｍｍ未満、約８５ｍｍ未満、約８０ｍｍ未満、約７８ｍｍ未満、約７６ｍｍ未満、約７４ｍｍ未満、約７２ｍｍ未満、又は約７０ｍｍ未満のバッグ内スタック高さを有してもよく、具体的には、特定した範囲内の全ての０．１ｍｍ増分、及びその中の又はそれにより形成される全範囲を列挙する。あるいは、本開示の吸収性物品のパッケージは、本明細書に記載のバッグ内スタック高さ試験基づいて、約７０ｍｍ〜約１１０ｍｍ、約７０ｍｍ〜約１０５ｍｍ、約７０ｍｍ〜約１００ｍｍ、約７０ｍｍ〜約９５ｍｍ、約７０ｍｍ〜約９０ｍｍ、約７０ｍｍ〜約８５ｍｍ、約７２ｍｍ〜約８０ｍｍ、又は約７４ｍｍ〜約７８ｍｍのバッグ内スタック高さを有してもよく、具体的には、特定した範囲内の全ての０．１ｍｍ増分、及びその中の又はそれにより形成される全範囲を列挙する。
【０１０４】
図３０は、複数の吸収性物品１００４を含む例示的なパッケージ１０００を示している。パッケージ１０００は、複数の吸収性物品１００４が置かれる内部空間１００２を画定している。複数の吸収性物品１００４は、１つ以上のスタック１００６として配置されている。
【０１０５】
上述のように、これらの三次元有孔不織布基材４００（例えば、トップシートとして使用される）は、疎水性不織布材料などの疎水性材料であってもよいが、親水性材料が、孔４２２の外周部４２３の周りのみに、及び／又は孔４２２の周辺に近接する領域のみに、例えば、孔４２２の外周部の約１ｍｍの範囲内又は陥没部４１４の一部まで延びて設けられてもよい。孔４２２の周辺に近接する領域内の親水性材料は、陥没部４１４内にあってもよい。親水性材料はまた、孔の壁（周辺部の厚さ）内に存在してもよい。孔に近接する親水性材料と共に三次元有孔疎水性基材を設けることによって、疎水性基材とは違った風に、流体を、孔を通って迅速に吸い上げることができる。孔に近接して親水性材料を付加することにより、孔は、ここでは、従来の有孔疎水性トップシートと比べて減少した寸法及び／又は面積となり、これにより、皮膚マーキング及び再湿潤を低減させ、それと同時により大きな孔を有する完全に疎水性のトップシートとほぼ同じ流出及び漏れ効果を達成することができる。情報と信ずるところによれば、本開示の親水性材料の、孔に近接する領域上への、又は孔周辺部の少なくとも周りへの付加は、流体が基材中に吸収されるのに必要なブレークスルー圧を低減させ得る。
【０１０６】
これにより、本開示の三次元有孔基材又はトップシートは、完全に親水性のトップシート及び完全に疎水性のトップシートの両方の問題を解決し、着用者の皮膚を乾燥した状態のまま残し、流体／皮膚接触を減らし、より小さな孔を可能にし、皮膚マーキング及び再湿潤を低減させ、流出及び漏れの問題を低減する。
【０１０７】
図３１は、例示の目的のための、本開示の三次元有孔不織布基材の一部分の例の断面図の概略図である。図３２は、着用者に面する表面を上方に臨む、本開示の例示的な三次元有孔不織布基材の写真である。図３３は、衣類に面する表面を上方に臨む、本開示の例示的な三次元有孔不織布基材の写真である。図３１〜図３３を参照すると、三次元有孔不織布基材４００は、１つ以上の疎水性層を含むが、孔４２２に近接して適用された親水性材料を伴う。親水性材料は、陥没部４１４の部分上の孔４２２の壁に、又は孔に近接する材料に位置付けられてもよい。突起部４１６及びランド領域４１２は、典型的には、疎水性材料のいずれも含まなくともよい。その結果、流体が三次元有孔不織布基材（例えば、トップシート）に接触すると、流体は、主として、ランド領域４１２及び突起部４１６を貫通しないが、その代わりに、重力によって陥没部４１４に向かって駆動される。流体が一旦陥没部４１４に達すると、これらは、孔４２２に近接して、及び／又は孔４２２の周辺部４２３の周りに位置付けられた親水性材料６００のために、孔４２２を通って迅速に吸い上げられる。親水性材料６００がないと、小さな有効孔面積（例えば、流体が孔を通る移動を阻止する毛細管力を作り出す）のために、流体は陥没部４１４内にそのまま留まり、孔４２２を通って吸い上げられないであろう。例えば、「小さい」有効孔面積は、約１ｍｍ２〜約４．０ｍｍ２、約１ｍｍ２〜約３．５ｍｍ２、約１ｍｍ２〜約３ｍｍ２、又は約１．２ｍｍ２〜約２．５ｍｍ２、又は約１．５ｍｍ２〜約２．５ｍｍ２の範囲であってもよく、具体的には、特定した範囲内の全ての０．１ｍｍ２増分、及びその中の又はそれにより形成される全範囲を列挙する。有効孔面積は、本明細書の孔試験に従って測定される。孔が円錐形を有する場合、有効孔面積は円錐形の最小寸法で取られる。
【０１０８】
陥没部４１４が垂直壁を有する場合、又は更には陥没部の頂部における面積が、孔４２２と比べて小さい面積を有する場合、流体は、依然として、親水性材料６００のために、孔を通って吸い上げられることが可能であろう。親水性材料は、完全に疎水性の基材と比較して異なる陥没部構成を可能にする。完全に疎水性の基材においては、この陥没部は、上下逆の円錐形状を有していなければならず、孔は非常に大きくなっていなければならない。
【０１０９】
更に、親水性材料６００を孔に近接して設けることによって、孔壁（即ち、孔周辺部の厚さ）は、例えば、約０．３ｍｍの厚さ、約０．６ｍｍの厚さ、又は約１ｍｍの厚さであってもよく、より小さな有効孔面積を有する場合であっても、流体をなおそれらを通って吸い上げることができる。これは、同じ有効孔面積を有する完全に疎水性の基材では不可能であろう。
【０１１０】
親水性材料のいくつかの好適な例は、約７以上、約１０以上、又は約１４以上の親水性／親油性バランス数（ＨＬＢ）を有する界面活性剤又は界面活性剤の組み合わせを含む。測定されたＨＬＢを一般的に有さない親水性材料もまた、用いることができる。
【０１１１】
親水性材料のいくつかの好適な例としては、エステル、アミド、カルボン酸、アルコール、エーテル−ポリオキシエチレン、ポリオキシプロピレン、ソルビタン、エトキシル化脂肪アルコール、アルキルフェノールポリエトキシレート、レシチン、グリセロールエステル及びそれらのエトキシレートを含む非イオン性界面活性剤、並びに糖ベースの界面活性剤（ポリソルベート、ポリグリコシド）が挙げられる。他の好適な非イオン性界面活性剤としては、脂肪酸エステルエトキシレート、脂肪酸エーテルエトキシレート、及びエトキシル化糖誘導体（例えば、エトキシル化脂肪酸ポリエステル、エトキシル化脂肪酸ソルビタンエステルなど）等、並びに上記の少なくとも１つを含む組み合わせが挙げられる。他の好適な例としては、スルホン酸塩、硫酸塩、リン酸塩、脂肪酸のアルカリ金属塩、硫酸の脂肪アルコールモノエステル、直鎖アルキルベンゼンスルホネート、アルキルジフェニルオキシドスルホネート、リグニンスルホネート、オレフィンスルホネート、スルホサクシネート、及び脂肪アルコールの硫酸化エトキシレートを含むアニオン性界面活性剤が挙げられる。他の好適な例としては、アミン（一級、二級、三級）、四級アンモニウム、ピリジニウム、四級アンモニウム塩−ＱＵＡＴＳ、アルキル化ピリジニウム塩、アルキル一級、二級、三級アミン、及びアルカノールアミドを含むカチオン性界面活性剤が挙げられる。他の好適な例としては、アミノ酸及び誘導体、アミンオキシド、ベタイン、並びにアルキルアミンオキシドを含む双性界面活性剤が挙げられる。他の好適な例としては、ポリアミン、カルボン酸ポリマー及びコポリマー、ＥＯ／ＰＯブロックコポリマー、エチレンオキシドポリマー及びコポリマー、並びにポリビニルピロリドンを含むポリマー界面活性剤が挙げられる。他の好適な例としては、親水性物質を有するジメチルシロキサンポリマーを含むシリコーン界面活性剤が挙げられる。更に他の好適な例としては、過カルボン酸塩及びフッ素系界面活性剤が挙げられる。
【０１１２】
測定されたＨＬＢを一般的に有さない親水性材料もまた、用いることができる。このような親水性材料としては、グリコール及びポリグリコールなどのジオールを挙げることができるが、これらに限定されない。好適な非イオン性界面活性剤としては、限定を意図するものではないが、Ｃ２〜８のジオール及びポリグリコール等が挙げられる。一般に、ジオールは、グリコール（Ｃ２及びＣ３ジオール）並びにポリグリコールであってもよい。用語「ポリグリコール」とは、２つ以上のグリコール分子の脱水によって形成されたジヒドロキシエーテルを指す。有用なポリグリコールの代表的な非限定的なリストとしては、エチレングリコール、プロピレングリコール、ポリエチレングリコール、ポリプロピレングリコール、メトキシポリエチレングリコール、ポリブチレングリコール、ブチレンオキシドとエチレンオキシドのブロックコポリマー等、並びに上記の少なくとも１つを含む組み合わせが挙げられる。
【０１１３】
更に、好適な親水性材料は、商業的に入手可能である合成界面活性剤溶液の典型的な独自のブレンドである仕上げ処理材を含む。例としては、とりわけ、商標名Ｓｉｌａｓｔｏｌ（例えば、Ｓｉｌａｓｔｏｌ  ＰＨＰ  ２６、Ｓｉｌａｓｔｏｌ  ＰＨＰ  ９０、Ｓｉｌａｓｔｏｌ  ＰＳＴ−Ｎ、Ｓｉｌａｓｔｏｌ  ＰＨＰ  ２０７、Ｓｉｌａｓｔｏｌ  ＰＨＰ  ２８及びＳｉｌａｓｔｏｌ  ＰＨＰ  ８）でＳｃｈｉｌｌ  ＆  Ｓｅｉｌａｃｈｅｒ  ＡＧからの材料、商標名Ｓｔａｎｔｅｘ（登録商標）（例えば、Ｓｔａｎｔｅｘ  Ｓ  ６０８７−４、及びＳｔａｎｔｅｘ  ＰＰ  ６０２）でＰｕｌｃｒａ  Ｃｈｅｍｉｃａｌｓからの材料が挙げられる。
【０１１４】
親水性材料は、２０１６年９月９日に出願された、米国特許出願第６２／３８５，２６５号、Ｐ＆Ｇ代理人整理番号１４４９５ＰＱに記載されている印刷方法を用いて、基材に適用することができる。親水性材料はまた、図３４に示すプロセスにより適用されてもよい。図３４において、ローラー６０２は、三次元有孔基材４００と、液体親水性材料６００を含有するバット６０４との間に位置付けられる。基材４００は、矢印ＭＤの方向に搬送される。基材４００は、例示の目的のために断面で示されている。ローラー６０２は、ローラー６０２上で矢印により示される方向に回転することができるか、又は反対方向に回転することができる。ローラー６０２は、液体親水性材料６００をバット６０４から受け取り、液体親水性材料６００の被膜をその外表面に搬送し、次いで、液体親水性材料６００の一部を陥没部４１４の部分及び／又は孔４２２に近接する部分に堆積させるように構成されている。ローラー６０２は、それが陥没部４１４及び／又は孔４２２に近接する領域のみと係合するように位置付けることができる。孔４２２の外周部４２３は、一般には、基材４００の最も低い平面を形成する。これにより、ローラー６０２は、主として、孔４２２の外周部４２３と接触し、親水性材料の一部が、陥没部４１４に近接する領域に吸い上げられる。このようなやり方で、親水性材料は、陥没部及び／又は孔に近接する領域に適用され得るが、疎水性ランド領域４１２及び突起部４１６には適用され得ない。ローラー６０２の外表面は、移動する基材の速度と一致してもよく、又は移動する基材よりも高速若しくは低速で移動されてもよい。基材４００の張力及びラップ角度は、基材４００の接触が、孔４２２に近接する領域のみに制限されるように調整される必要があり得る。ニップＮにおいて基材４００に適用される圧力ローラー６０２もまた、より少ない疎水性材料又はより多くの疎水性材料を基材４００に適用するように調整されてもよい。
【０１１５】
親水性材料はまた、図３５に示すプロセスにより基材４００の孔４２２に近接して適用されてもよい。図３５を参照すると、親水性材料６００（例えば、１．５％のＳ６３２７溶液）は、平坦で清浄な表面６０６上に散布される。基材４００は、表面６０６とローラー６０８との間に形成されたニップＮを通って搬送される。基材４００は、一般には、矢印ＭＤで示した方向に移動することができる。ローラー６０８は、ローラー６０８上に矢印で示した方向に回転することができる。ローラー６０８は、疎水性材料６００と孔４２２に近接する基材の領域との間の接触を確実にするように存在してもよい。基材４００の張力及びラップ角度は、基材４００の接触が、孔４２２に近接する領域のみに制限されるように調整される必要があり得る。ニップＮにおいて基材４００に適用される圧力ローラー６０８もまた、より多くの疎水性材料又はより少ない疎水性材料を基材４００に適用するように調整されてもよい。
【実施例】
【０１１６】
単一の可変実験を、３つの異なる三次元有孔不織布基材を用いて行った。第１の三次元有孔不織布基材は完全に疎水性であって、それに適用される親水性材料のいずれも有さなかった。第２の三次元有孔基材は、本明細書に記載するように、孔に近接してかつ陥没部の部分に適用された親水性材料を有した。第２の三次元有孔基材は、図３５に示すように疎水性材料を選択的に堆積させることによって得た。青色顔料及びラマン分光法の使用は、親水性材料が実際に、意図したとおりに孔に近接して選択的に適用されたことを確認するために用いた。第３の三次元有孔基材は、着用者に面する表面の疎水性層と衣類に面する表面の親水性層とを有した。疎水性／親水性の相違以外は、第１、第２、及び第３の三次元有孔基材は同一であった。
【０１１７】
おむつの原型を、米国で２０１４年の１０月に市販されているＰａｍｐｅｒｓ（登録商標）Ｓｗａｄｄｌｅｒｓ（登録商標）のサイズ２のおむつを用いて作成した。Ｐａｍｐｅｒｓ（登録商標）Ｓｗａｄｄｌｅｒｓのサイズ２のおむつは、それぞれ、トップシート、トップシート下の捕捉層、捕捉層下の分配層、及び分配層と吸収性コア下のバックシートとの間に位置する吸収性コアを含む。市販のＰａｍｐｅｒｓ（登録商標）Ｓｗａｄｄｌｅｒｓおむつのトップシートを、以下に記載されるプロセスによって、第１の基材、第２の基材、及び第３の基材で置き換えた。各おむつ原型について、捕捉層上に５ｇｓｍのスパイラル接着剤を塗布し、第１、第２、及び第３の基材を、孔外周部が吸収性コアに面する状態で、全長／幅にわたって配置した。各原型おむつは、試験前に２３℃＋／−２℃及び５０％＋／−１０％の相対湿度（ＲＨ）で３日間保管した。
【０１１８】
第１、第２、及び第３の三次元有孔基材を、以下のとおりに、それぞれ、Ｓｗａｄｄｌｅｒｓ（登録商標）サイズ２おむつに適用した。最初に、バリアレッグカフタックダウンボンドを開いた。次に、Ｓｗａｄｄｌｅｒｓ（登録商標）製品のトップシートを、凍結スプレーを用いて取り外した。次いで、取り外したトップシートと同じサイズ（即ち、長さ及び幅）を有する第１、第２、及び第３の三次元基材を、Ｓｗａｄｄｌｅｒｓ（登録商標）製品に適用した。第１、第２、及び第３の三次元基材を、５ｍｇのスパイラル糊を用いて、Ｓｗａｄｄｌｅｒｓ（登録商標）製品の捕捉層に取り付けた。次いで、レッグカフタックダウンボンドを、両面テープを用いて再度作成した。
【０１１９】
このようにして製造された原型を、本明細書の流出試験に従って、トップシートの流出について実験室で試験した。以下に結果を示す。
【０１２０】
流出
表１
報告されたデータは平均値であり、標準偏差は括弧内に示される。
【０１２１】
【表１】
2019526371.tif 000003
【０１２２】
上記表１から理解し得るように、第２の基材は、最小量の流出を有した。
【０１２３】
濡れ長さ
表２
報告されたデータは平均値であり、標準偏差は括弧内に示される。
【０１２４】
【表２】
2019526371.tif 000004
【０１２５】
上記表２から理解し得るように、第２の基材は、最小量の濡れ長さを有した。
【０１２６】
これらの両方の図表から理解し得るように、データは全体的に、流出及び濡れ長さの両方の最小化に関して、比較例の両方（第１の基材及び第２の基材）と比べて、本開示（第２の基材）の有利性を確認する。
【０１２７】
第１の基材−完全に疎水性の両方の層
第１の基材は、孔に近接して付加されたいかなる親水性材料もなく、２つの完全に疎水性の層を有した。第１の層は、１５ｇｓｍの坪量を有する、ＰＥ／ＰＥＴシース／コア（２デニール）ステープルファイバから作製された疎水性材料であった。トップシートに関しては、この第１の層は、着用者に面する層である。第２の層は、２０ｇｓｍの坪量を有する、ＰＥ／ＰＥＴシース／コア（２デニール）ステープルファイバから作製された。トップシートに関しては、この第２の層は、衣類に面する層である。熱風結合を通して、第１の層を第２の層に接合させ、次いで、本明細書に記載されるように、両方の層を図２７〜図２９のロールを通り抜けさせた。突起部のｚ方向高さは、第１の基材では１２００μｍであった。第１の基材における陥没部は、隣接する突起部の頂部ピークから最も遠位の位置で円錐形の孔を画定する。上部孔径（約１９００μｍ）は、底部径（約１５００μｍ）よりも大きかった。陥没部は、約５００μｍのｚ方向高さを有した。第１の基材は、約１７００μｍの全体的なｚ方向の高さを有した。この段落における高さは、本明細書の高さ試験に従って測定した。
【０１２８】
第２の基材−親水性材料を有する疎水性の両方の層（本開示）
第２の基材は、第１の基材と同じであるが、図３１〜図３４を参照して記載したように、孔に近接して適用された親水性材料を有する。
【０１２９】
第３の基材−疎水性の着用者に面する層及び親水性の衣類に面する層
第３の基材は、第１の基材と同じであるが、第２の層が親水性であり、かつＰＥ／ＰＥＴシース／コア（２デニール）ステープルファイバから作製されている。
【０１３０】
疎水性物質を有する親水性基材
異なる形態として、本開示は、親水性不織布有孔基材を含んでもよい。この基材は、本明細書に記載される三次元有孔基材と同一構造を有してもよい（突起部、陥没部、ランド領域等）が、疎水性である代わりに親水性であってもよい。基材は、１つ以上の親水性層を有してもよい。２つ以上の親水性層が設けられる場合、様々な層は、デニール、坪量、繊維の種類等が、孔に近接してのみ位置付けられた親水性材料を有する疎水性基材に関して上記で記載されたものと、同じであっても、又は異なってもよい。三次元親水性有孔基材については、流体は、突起部及びランド領域を通して迅速に吸収され／それらを貫通し、またいくらか孔４２２を通して吸い上げられる傾向がある。図３６を参照すると、流体を陥没部４１４に向かって、かつ孔４２２を通って流すために、１つ以上の疎水性材料７００が、突起部４１６及び／又はランド領域上にのみ位置付けられるか、又は印刷されてもよい。突起部４１６及び／又はランド領域上にのみ位置付けられ／印刷される疎水性材料７００は、流体を重力により下部陥没部４１４に流動させることができ、これにより、流体を、孔４２２を通って吸い上げることができる。疎水性材料７００は、流体が突起部及び／又はランド領域を通って吸い上がることを防止するか、又は少なくとも阻止することができる。陥没部４１４及び孔４２２は、基材の親水性に起因して、親水性であってもよい。場合によっては、上記記載の親水性材料６００はまた、孔４２２及び／又は陥没部４１４の部分に近接する領域の親水性を更に増大させるために、孔に近接してのみ適用されてもよい。本質的に、突起部及び／又はランド領域上に位置付けられた１つ以上の疎水性材料を有する親水性基材のこの形態は、上記記載の孔に近接してのみ位置付けられた親水性材料を有する疎水性基材と同様な目標を達成する。
【０１３１】
疎水性材料７００のいくつかの好適な例は、フッ素化又は過フッ素化ポリマー；シリコーン、フルオロケミカル、ジルコニウム化合物、油；ラテックス；ワックス、架橋性樹脂、及びそのブレンド；フルオロケミカルウレタン、尿素、エステル、エーテル、アルコール、エポキシド、アロファネート、アミド、アミン（及びそれらの塩）、酸（及びそれらの塩）、カルボジイミド、グアニジン、オキサゾリジノン、イソシアヌレート、及びビウレット；ヒュームドシリカ、疎水性チタニア、酸化亜鉛、ナノクレイ、及びこれらの混合物；油脂、グリセリン誘導体；疎水性シリコーン又はその好適な組み合わせを含む。
【０１３２】
好適なシリコーンポリマーの例は、シリコーンＭＱ樹脂、ポリジメチルシロキサン、架橋シリコーン、シリコーン液体エラストマー、及びこれらの組み合わせからなる群から選択される。ポリジメチルシロキサンは、とりわけ、ビニル末端ポリジメチルシロキサン、メチル水素ジメチルシロキサン、ヒドロキシル末端ポリジメチルシロキサン、オルガノ変性ポリジメチルシロキサン、及びこれらの組み合わせからなる群から選択され得る。
【０１３３】
本開示に好適な他の疎水性材料７００は、当該技術分野において明確に定義され、かつ文書化されている。例えば、米国特許出願公開第２００２／００６４６３９（Ａ１）号は、シリコーン、フルオロケミカル、ジルコニウム化合物、油、ラテックス、ワックス、架橋性樹脂、及びこれらのブレンドからなる群から選択される疎水性組成物を記載している。米国特許第７，４０７，８９９号で記載される代表的な撥水性フルオロケミカル化合物としては、フルオロケミカルウレタン、尿素、エステル、エーテル、アルコール、エポキシド、アロファネート、アミド、アミン（及びそれらの塩）、酸（及びそれらの塩）、カルボジイミド、グアニジン、オキサゾリジノン、イソシアヌレート、及びビウレットが挙げられる。米国特許第６，５４８，７３２号は、カカオ脂、カカオバター、ココアバター、ペトロラタム、鉱物ゼリー、白色鉱油、ジメチコン、酸化亜鉛調製物、チャイニーズホワイト、亜鉛白、ミツロウ、ラノリン、ホホバ油、及びこれらの組み合わせからなる群からの疎水性物質を記載している。更に、２０１１年７月２８日に出願された米国特許出願第１３／１９３，０６５号は、フッ素化ポリマー、過フッ素化ポリマー、及びこれらの混合物；ヒュームドシリカ、疎水性チタニア、酸化亜鉛、ナノクレイ、及びこれらの混合物から選択されるナノ構造粒子；並びに、水性非有機溶媒全体のための水から選択される疎水性成分を含む組成物で処理されると、超疎水性特性を呈する基材を論議している。２０１１年７月２８日に出願された米国特許出願第１３／１９３，０６５号におけるこのような組成物及び表面の例は、本開示の不織トップシートとして使用することができる超疎水性処理表面を例示している。
【０１３４】
追加のワックス及び他の疎水性材料を用いてもよく、石油系エモリエント、脂肪酸エステル、ポリオールポリエステル、脂肪アルコールエーテル、ステロール及びステロールエステル、並びにこれらの誘導体、トリグリセリド、グリセリルエステル、セラミド、及びこれらの混合物が挙げられる。脂肪酸は、植物原料、動物原料、及び／又は合成原料に由来してもよい。いくつかの脂肪酸は、Ｃ８脂肪酸〜Ｃ３０脂肪酸、又はＣ１２脂肪酸〜Ｃ２２脂肪酸の範囲に及び得る。別の実施形態において、特に脂肪酸前駆体の水素化の結果として飽和が生じるとき、実質的に飽和脂肪酸が使用され得る。脂肪酸誘導体の例としては、脂肪族アルコール、脂肪酸エステル、及び脂肪酸アミドが挙げられる。
【０１３５】
好適な脂肪族アルコール（Ｒ−ＯＨ）としては、Ｃ１２〜Ｃ２８脂肪酸に由来するものが挙げられる。
Ｒ−ＯＨ  Ｒ＝Ｃ１２〜Ｃ２８アルキル鎖
【０１３６】
好適な脂肪酸エステルとしては、Ｃ１２〜Ｃ２８脂肪酸及び短鎖（Ｃ１〜Ｃ８、好ましくはＣ１〜Ｃ３）一価アルコールの混合物、好ましくはＣ１２〜Ｃ２２飽和脂肪酸及び短鎖（Ｃ１〜Ｃ８、好ましくはＣ１〜Ｃ３）一価アルコールの混合物由来の脂肪酸エステルが挙げられる。疎水性溶融添加剤は、モノ、ジ、及び／又はトリ−脂肪酸エステルの混合物を含んでもよい。例として、骨格鎖としてグリセロールとの脂肪酸エステルが挙げられる。
【０１３７】
【化１】
2019526371.tif 000005
【０１３８】
このグリセロール由来の脂肪酸エステルは、グリセロールに対して少なくとも１つのアルキル鎖、少なくとも２つ、又は３つの鎖を有し、モノ、ジ又はトリグリセリドを形成する。トリグリセリドの好適な例としては、グリセロールトリベヘネート（Ｃ２２）、グリセロールトリステアレート（Ｃ１８）、グリセロールトリパルミテート（Ｃ１６）、及びグリセロールトリミリステート（Ｃ１４）、並びにこれらの混合物が挙げられる。トリグリセリド及びジグリセリドの場合、アルキル鎖は、同じ長さでも異なる長さでもよい。例として、１個のアルキルＣ１８鎖と２個のＣ１６アルキル鎖、又は、２個のＣ１８アルキル鎖と１個のＣ１６鎖を有するトリグリセリドが挙げられる。好ましいトリグリセリドは、Ｃ１４〜Ｃ２２脂肪酸に由来するアルキル鎖を含む。
【０１３９】
好適な脂肪酸アミドとして、Ｃ１２〜Ｃ２８脂肪酸（飽和又は不飽和）及び一級又は二級アミンの混合物由来のものが挙げられる。一級脂肪酸アミドの好適な例としては、脂肪酸及びアンモニア由来のものが挙げられる。
【０１４０】
【化２】
2019526371.tif 000006
【０１４１】
好適な例として、エルカミド、オレアミド、及びベヘンアミドが挙げられる。他の好適な疎水性溶融添加剤として、疎水性シリコーン、エトキシル化脂肪族アルコールが挙げられる。
【０１４２】
疎水性材料７００は、２０１６年９月９日に出願された、米国特許出願第６２／３８５，２６５号、Ｐ＆Ｇ代理人整理番号１４４９５ＰＱに記載されているインクジェット印刷方法を用いて親水性基材に適用することができる。疎水性材料７００はまた、図３４の修正プロセスを用いて適用されてもよい。この修正プロセスにおいて、基材４００は、突起部４１６及び／又はランド領域がローラー６０２と接触するように、ひっくり返されてもよい。親水性材料６００を疎水性材料７００と交換してもよい。このように、ローラー６０２は、疎水性材料７００を突起部及び／又はランド領域上に堆積させることができる。疎水性材料７００はまた、図３５の修正プロセスを用いて適用されてもよい。基材４００は、突起部４１６及び／又はランド領域がフラットな清浄な表面６０６と接触するように、ひっくり返されてもよい。親水性材料６００を疎水性材料７００と交換してもよい。このように、清浄な表面６０６は、疎水性材料７００を突起部及び／又はランド領域上に堆積させることができる。図３７を参照する他の例では、親水性基材４００を機械方向、ＭＤに搬送してもよい。スロット塗布機２０９９を用いて、疎水性材料７００を突起部４１６及び／又はランド領域のみに適用することもできる。
【０１４３】
試験方法
試験前に、約２３℃±２℃及び約５０％±２％の相対湿度で、全てのサンプルを約２時間調整する。
【０１４４】
孔試験
孔寸法、有効孔面積、及び有効孔面積％の測定を、反射モードにおいて６４００ｄｐｉの解像度及び８ビットグレースケールでスキャン可能なフラットベッド走査装置を使用して、生成された画像上で実施する（好適な走査装置は、Ｅｐｓｏｎ  Ｐｅｒｆｅｃｔｉｏｎ  Ｖ７５０  Ｐｒｏ（Ｅｐｓｏｎ，ＵＳＡ）である）。分析は、ＩｍａｇｅＪ  ｓｏｆｔｗａｒｅ（Ｎａｔｉｏｎａｌ  Ｉｎｓｔｉｔｕｔｅｓ  ｏｆ  Ｈｅａｌｔｈ，ＵＳＡのｖ．ｓ．１．４６）を使用して実施し、ＮＩＳＴによって認定された定規に対して較正される。試験片を取り付けるために鋼製フレーム（１００ｍｍ２、１．５ｍｍ厚、６０ｍｍ２開口部付き）を使用し、黒のガラスタイル（ＨｕｎｔｅｒＬａｂ（Ｒｅｓｔｏｎ，ＶＡ）から販売されるＰ／Ｎ  １１−００５０−３０）を走査画像の背景として使用する。
【０１４５】
スチールフレームを取って、内部開口部を取り囲む底面上に両面接着テープを貼る。試験片を取得するために、着用者に面する表面を上向きにして吸収性物品を作業台上に平らに置く。テープの剥離紙を除去し、鋼製フレームを吸収性物品のトップシートに接着する（本明細書に記載の基材は、例えばトップシート上に配置されることによりトップシートの一部分のみを形成してもよく、三次元材料がサンプルとなるものである）。かみそりの刃を用いて、フレームの外周部の周りの吸収性物品の下層からトップシートを切り取る。長手方向及び横方向の拡張部が維持されるように、試験片を丁寧に取り除く。必要であれば、低温スプレー（Ｃｙｔｏ−Ｆｒｅｅｚｅ（Ｃｏｎｔｒｏｌ  Ｃｏｍｐａｎｙ，Ｈｏｕｓｔｏｎ  ＴＸ）など）を使用して、トップシート試験片を下層から取り出すことができる。５つの実質的に同様の吸収性物品から取得した５つの複製試験片を、分析に備えて準備する。
【０１４６】
定規を走査装置ベッドに置き、蓋を閉じて、６４００ｄｐｉ及び８ビットグレースケールの解像度にて反射率モードで定規の５０ｍｍ×５０ｍｍの較正画像を取得する。画像を圧縮前のＴＩＦＦ書式ファイルとして保存する。蓋を持ち上げて定規を取り除く。較正画像を取得した後、全ての試験片を同じ条件下で走査して同じ較正ファイルに基づいて測定する。次に、試験片の着用者に面する表面を走査装置のガラス面に対向させた状態で、フレーム付きの試験片を走査装置ベッドの中心に置く。黒のガラスタイルを、試験片を覆うフレーム上に置き、蓋を閉じて、走査画像を取得する。同様に、残りの４つの複製試験片を走査する。
【０１４７】
ＩｍａｇｅＪ内の較正ファイルを開き、画像化した定規を使用して、較正がその後の試験片に適用されるようにスケールをＧｌｏｂａｌに設定したまま線形較正を行う。ＩｍａｇｅＪ内の試験片画像を開く。ヒストグラムを見て、孔の暗画素ピークと不織布のより明るい画像ピークとの間に位置する最小母集団のグレーレベル値を特定する。画像の閾値を最小グレーレベル値に設定して二値画像を生成する。処理した画像では、孔は黒く、不織布は白く見える。
【０１４８】
分析粒子機能を選択する。最小孔面積排除限界を０．３ｍｍ２に、かつ、分析のために、縁部孔を除外するように設定する。有効孔面積、外周部、フェレ径（孔の長さ）及び最小フェレ径（孔の幅）を計算するようにソフトウェアを設定する。平均有効孔面積を０．０１ｍｍ２単位で、また平均外周を０．０１ｍｍ単位で記録する。再度、分析粒子機能を選択するが、今回は有効孔面積を計算する際に縁部穴を含むように分析を設定する。有効孔面積（全体及び部分の孔を含む）を合計して、画像内に含まれた総面積（２５００ｍｍ２）で除算する。有効孔面積％を０．０１％単位で記録する。
【０１４９】
同様に、残りの４つの試験片画像を分析する。５つの複製試験片について、平均有効孔面積を、０．０１ｍｍ２単位で、平均孔外周部を０．０１ｍｍ単位で、フェレ径及び最小フェレ径を０．０１ｍｍ単位で、並びに、有効孔面積％を０．０１％単位で計算し、報告する。
【０１５０】
孔が円錐形を有する場合、有効孔面積は円錐形の最小寸法で取られる。
【０１５１】
高さ試験
基材突起部高さ及び全基材高さを、ＧＦＭｅｓｓｔｅｃｈｎｉｋ  ＧｍｂＨ（Ｔｅｌｔｏｗ／Ｂｅｒｌｉｎ，Ｇｅｒｍａｎｙ）から市販されるＧＦＭ  ＭｉｋｒｏＣＡＤ  Ｐｒｅｍｉｕｍ計器を用いて測定する。ＧＦＭ  ＭｉｋｒｏＣＡＤ  Ｐｒｅｍｉｕｍ計器は、以下の主要構成要素を含む：ａ）直接デジタル制御マイクロミラーを備えるデジタル光処理（ＤＬＰ）投影装置；ｂ）少なくとも１６００×１２００ピクセルの解像度を有するＣＣＤカメラ；ｃ）少なくとも６０ｍｍ×４５ｍｍの測定領域に適合された投影光学系；ｄ）少なくとも６０ｍｍ×４５ｍｍの測定領域に適合された記録光学系；ｅ）小さな硬石プレートに基づく三脚台；ｆ）青色ＬＥＤ光源；ｇ）測定、制御、及び評価用のコンピュータ実行ＯＤＳＣＡＤソフトウェア（バージョン６．２又は等価物）；並びに、ｈ）供給メーカーから入手可能な、横方向（ｘ−ｙ）較正及び垂直方向（ｚ）較正用の較正プレート。
【０１５２】
ＧＦＭ  ＭｉｋｒｏＣＡＤ  Ｐｒｅｍｉｕｍシステムは、デジタルマイクロミラーパターン縞投影技術を用いてサンプルの表面高さを測定する。解析の結果は、ｘ−ｙ平面内の変位に対する表面高さ（ｚ方向つまりｚ軸）のマップである。このシステムは、およそ４０マイクロメートルのｘ−ｙピクセル解像度を伴う、６０×４５ｍｍの視野を有する。高さの解像度は、±１５ｍｍの高さ範囲で、０．５マイクロメートル／カウントに設定される。全ての試験は、約２３±２℃及び約５０±２％の相対湿度に維持された調湿室内で行われる。
【０１５３】
スチールフレーム（１００ｍｍ２、厚さ１．５ｍｍ、７０ｍｍ２の開口部付き）を使用して試験片を乗せる。スチールフレームを取って、内部開口部を取り囲む底面上に両面接着テープを貼る。試験片を得るために、着用者に面する表面を上向きにして吸収性物品を作業台上に平らに置く。テープの剥離紙を除去し、鋼製フレームを吸収性物品のトップシートに接着する（本明細書に記載の基材は、例えばトップシート上に配置されることによりトップシートの一部分のみを形成してもよく、三次元材料がサンプルとなるものである）。かみそりの刃を用いて、フレームの外周部の周りの吸収性物品の下層からトップシートを切り取る。長手方向及び横方向の拡張部が維持されるように、試験片を丁寧に取り除く。必要であれば、低温スプレー（Ｃｙｔｏ−Ｆｒｅｅｚｅ（Ｃｏｎｔｒｏｌ  Ｃｏｍｐａｎｙ，Ｈｏｕｓｔｏｎ  ＴＸ）など）を使用して、トップシート試験片を下層から取り出すことができる。５つの実質的に同様の吸収性物品から取得した５つの複製試験片を、分析に備えて準備する。
【０１５４】
製造者の仕様書に従って、供給メーカーから入手可能な、横方向（ｘ−ｙ軸）及び垂直方向（ｚ軸）用の較正プレートを用いて計器を較正する。
【０１５５】
鋼製プレート及び試験片を、着用者に面する表面をカメラに向けてテーブル上のカメラの真下に置く。試験片の表面だけが画像内で見られるように、試験片の中心をカメラの視野内に合わせる。試験片を、しわを最小限にして平らに置く。
【０１５６】
計器製造者の推奨する測定手順に従って、試験片の高さの画像（ｚ方向）を収集する。以下の操作パラメータを有する技術的表面／標準測定プログラムを選択する：３フレームディレイを用いた高速録画の使用。デュアル位相シフトを、１）ピクチャー数１２を有する１６ピクセルストライプ幅、及び２）ピクチャー数８を有する３２ピクセルストライプ幅、と共に用いる。ピクセル２で開始し、ピクセル５１２で終了するフルグレイコード。測定プログラムを選択した後、測定システムの焦点合わせ及び輝度調整の実施に関して、引き続き計器製造者の推奨手順に従う。３Ｄ測定を実施した後で、高さ画像及びカメラ画像ファイルを保存する。
【０１５７】
高さ画像を、クリップボードを介してソフトウェアの分析部分に取り込む。続いて、各画像に対して以下のフィルタリング手順を実施する：１）不正な点の除去、２）頂部（小さな局部的上昇）の除去、３）ｎ＝５のランクを有し、材料部分から頂部の３０％及び谷部の３０％を排除した、５サイクルの、材料部分の多項式フィルタリング。
【０１５８】
突起部高さ試験
一連の突起部のピークを接続する線を引く。この線は、突起部のそれぞれの間に位置する、無孔のランド領域を通る。描いた線に沿って、高さの画像の断面画像を生成する。断面線に沿って、突起物の頂点と隣接するランド領域の谷部との間の垂直高さ（ｚ方向）の差を測定する。高さを０．１μｍ単位で記録する。１０個の異なる突起物の頂点からランド領域までの高さの測定値を共に平均化し、この値を０．１μｍ単位で報告する。これが突起物高さである。
【０１５９】
陥没部高さ試験
全基材高さから突起部高さを減じて、陥没部高さを得る。これは、突起部高さ試験及び全基材高さ試験からの各１０個の測定値で行う必要がある。１０個の陥没部高さを共に平均し、この値を０．１μｍ単位で報告する。これが陥没部高さである。
【０１６０】
全基材高さ試験
一連の突起部のピークを接続する線を引く。この線は、突起部のそれぞれの間及び陥没部内に位置する、孔の中心を通る。描いた線に沿って、高さの画像の断面画像を生成する。断面線に沿って、突起部のピークと隣接する陥没部の底部との間の垂直高さの差を測定する。高さを０．１μｍ単位で記録する。１０個の異なる突起部ピークから陥没部の底部までの高さ測定値を共に平均し、この値を０．１μｍ単位で報告する。これが全基材高さである。
【０１６１】
平均孔間隔試験
横方向軸線孔間隔及び長手方向軸線孔間隔を、反射モードにおいて６４００ｄｐｉの解像度及び８ビットグレースケールで走査可能なフラットベッド走査装置を使用して、生成された画像上で実施する（好適な走査装置は、Ｅｐｓｏｎ  Ｐｅｒｆｅｃｔｉｏｎ  Ｖ７５０  Ｐｒｏ（Ｅｐｓｏｎ，ＵＳＡ）である）。分析は、ＩｍａｇｅＪ  ｓｏｆｔｗａｒｅ（Ｎａｔｉｏｎａｌ  Ｉｎｓｔｉｔｕｔｅｓ  ｏｆ  Ｈｅａｌｔｈ，ＵＳＡのｖ．ｓ．１．４６）を使用して実施し、ＮＩＳＴによって認定された定規に対して較正される。試験片を取り付けるために鋼製フレーム（１００ｍｍ２、１．５ｍｍ厚、６０ｍｍ２開口部付き）を使用し、黒のガラスタイル（ＨｕｎｔｅｒＬａｂ（Ｒｅｓｔｏｎ，ＶＡ）から販売されるＰ／Ｎ  １１−００５０−３０）を走査画像の背景として使用する。試験は、約２３℃±２℃及び相対湿度約５０％±２％にて行う。
【０１６２】
スチールフレームを取って、内部開口部を取り囲む底面上に両面接着テープを貼る。試験片を取得するために、着用者に面する表面を上向きにして吸収性物品を作業台上に平らに置く。テープの剥離紙を除去し、鋼製フレームを吸収性物品のトップシートに接着する。かみそりの刃を用いて、フレームの外周部の周りの吸収性物品の下層からトップシート（即ち、着用者に面する表面の全体又は一部分を形成する三次元基材）を切り取る。長手方向及び横方向の拡張部が維持されるように、試験片を丁寧に取り除く。必要であれば、低温スプレー（Ｃｙｔｏ−Ｆｒｅｅｚｅ（Ｃｏｎｔｒｏｌ  Ｃｏｍｐａｎｙ，Ｈｏｕｓｔｏｎ  ＴＸ）など）を使用して、トップシート試験片を下層から取り出すことができる。５つの実質的に同様の吸収性物品から取得した５つの複製試験片を、分析に備えて準備する。試験前に約２時間かけて約２３℃±２℃及び約５０％±２％の相対湿度で、サンプルを調整する。
【０１６３】
定規を走査装置ベッドに置き、蓋を閉じて、反射率モードにおいて６４００ｄｐｉの解像度及び８ビットグレースケールで定規の５０ｍｍ×５０ｍｍの較正画像を取得する。画像を圧縮前のＴＩＦＦ書式ファイルとして保存する。蓋を持ち上げて定規を取り除く。較正画像を取得した後、全ての試験片を同じ条件下で走査して同じ較正ファイルに基づいて測定する。次に、試験片の着用者に面する表面を走査装置のガラス面に対向させた状態で、フレーム付きの試験片を走査装置ベッドの中心に置く。黒のガラスタイルを、試験片を覆うフレーム上に置き、蓋を閉じて、走査画像を取得する。同様に、残りの４つの複製試験片を走査する。
【０１６４】
ＩｍａｇｅＪ内の較正ファイルを開き、画像化した定規を使用して、較正がその後の試験片に適用されるようにスケールをＧｌｏｂａｌに設定したまま線形較正を行う。ＩｍａｇｅＪ内の試験片画像を開き、以下の測定を行う。
【０１６５】
横方向軸線孔間隔
１つの孔の中心点から、２つの孔の間に配置されている突起部の反対側の、隣接する孔の中心点までを測定する。測定値は、突起部を横切って、試験片の横方向軸線に平行な方向に取得される。各距離を０．１ｍｍ単位で報告する。試験片内で５つのランダムな測定値を取得する。５つの値を平均し、横方向軸線中心−中心間隔の平均を０．１ｍｍ単位で報告する。この手順を、更に４つのサンプルにて繰り返す。
【０１６６】
長手方向軸線孔間隔
１つの孔の中心点から、２つの孔の間に配置されている突起部の反対側の、隣接する孔の中心点までを測定する。測定値は、突起部を横切って、試験片の長手方向軸線に平行な方向に取得される。各距離を０．１ｍｍ単位で報告する。試験片内で５つのランダムな測定値を取得する。５つの値を平均し、長手方向軸線の中心から中心までの間隔の平均を、０．１ｍｍ単位で報告する。この手順を、更に４つのサンプルにて繰り返す。
【０１６７】
坪量試験
三次元基材の秤量は、いくつかの利用可能な技術によって判定され得るが、単純な代表的な技術では、吸収性物品を取ることと、存在する恐れがある一切の弾性を除去することと、吸収性物品を全長まで伸張させることと、を含む。その後、４５．６ｃｍ２の面積を有する打抜き型を使用して、存在する恐れがある任意の他の層にトップシートを固着するために使用され得る任意の接着剤を可能な限り回避する場所において、おむつ又は吸収性製品のほぼ中心から、トップシートを形成する、トップシート上に配置される、又はトップシートの一部分を形成する基材（この方法では「トップシート」）片を切り取り、（必要であればＣｙｔｏ−ｆｒｅｅｚｅ（Ｃｏｎｔｒｏｌ−Ｃｏｍｐａｎｙ（Ｈｏｕｓｔｏｎ，Ｔｘ））など、低温スプレーを使用して）トップシート層を他の層から除去する。その後、サンプルを秤量して打抜き型の面積で割ると、トップシートの秤量が得られる。結果を、５つのサンプルの平均として、０．１グラム／平方メートル単位で報告する。
【０１６８】
バッグ内スタック高さ試験
吸収性物品のパッケージのバッグ内スタック高さは、以下のとおりに判定する。
【０１６９】
機器
平坦な剛性の水平スライディングプレートを備えた厚さテスタが使用される。厚さテスタは、水平スライディングプレートが平坦な剛性の水平ベースプレートのすぐ上で水平の向きに常に維持された状態で、水平スライディングプレートが垂直方向に自由に移動するように構成される。厚さテスタは、水平スライディングプレートと水平ベースプレートとの間の間隙を±０．５ｍｍ以内で測定するのに好適な装置を含む。水平スライディングプレート及び水平ベースプレートは、各プレートと接触する吸収性物品パッケージの表面よりも大きい（即ち、全ての方向で各プレートは吸収性物品パッケージの接触表面を越えて延在する）。水平スライディングプレートは、８５０±８．３４Ｎ（１重量グラム）の下向きの力を吸収性物品パッケージに加えるが、これは、水平スライディングプレートのパッケージに接触しない上面の中央に好適な重しを置いて、スライディングプレートの合計質量に付加重量を足したものが８５０±１グラムとなるようにすることによって達成されてもよい。
【０１７０】
試験手順
吸収性物品パッケージを、測定前に、２３±２℃及び５０±５％の相対湿度で平衡化する。
【０１７１】
水平スライディングプレートを上げ、パッケージ内の吸収性物品が水平方向になるような形で、吸収性物品パッケージを水平スライディングプレート下で中央に配置する（図３０を参照）。プレートのどちらかに接触するであろうパッケージの表面上にある任意のハンドル又は他のパッケージング機構を、パッケージの表面に対して平坦に折り重ねることで、測定に対する影響を最小限にする。水平スライディングプレートを、パッケージの上面に接触するまでゆっくり下げてから、解放する。水平スライディングプレートを解放してから１０秒後に、水平プレート間の間隙を±０．５ｍｍ以内で測定する。５つの同一パッケージ（同じサイズのパッケージ及び同じ吸収性物品数）を測定し、算術平均をパッケージ幅として報告する。「バッグ内スタック高さ」＝（パッケージ幅／１スタック当たりの吸収性物品数）×１０を計算し、±０．５ｍｍ以内で報告する。
【０１７２】
流出試験
流出試験は、試験液が、トップシートの表面に流出することなく、かつおむつの後縁部に漏れ出すことなく、試験液がおむつに十分素早く吸収されるかどうかを試験するものである。この方法は、典型的には体重が５〜８ｋｇ±２０％の範囲の着用者に指定された乳児用おむつ（例えば、Ｐａｍｐｅｒｓベビー用おむつのサイズ２、又はほとんどの他の商標名のベビー用おむつのサイズ２若しくはサイズＳ）の液体の流出を測定する。全ての試験を、２３±２℃及び４０〜５５％の相対湿度で行う。
【０１７３】
試験装置は、厚さが約１０ｍｍであるポリカーボネート（例えば、Ｌｅｘａｎ（登録商標））製の角度付きテーブルを含む。角度付きテーブルは、長さが５２０ｍｍであり、広さが１６０ｍｍであって、水平に対して３０±１度傾いており、当該テーブルの寸法は、おむつの寸法より大きくなるように調整可能である。角度付きテーブルは、厚さが約１０ｍｍであるポリカーボネート（例えば、Ｌｅｘａｎ（登録商標））、又は同等の好適な材料から製造された支持体に取り付けられる。
【０１７４】
おむつは、そのパッケージから取り出され、カフ弾性材料を好適な間隔で切断し、おむつを平らに置き、トップシートにできるだけ触れずおむつのコアを傷付けないように注意しなければならない。製品は、適切な上皿式の計りの上に±０．１グラムの範囲内で重さを量り、次いで、製品が装置の長手方向中心線に沿って中央に配置されるように、両面接着テープを介して角度付きテーブルに取り付けられるが、その際、製品のトップシート（身体側）を上方に向け、前側腰部縁部を角度付きテーブルの上部に直立させ、後縁部を角度付きテーブルの下縁部に揃える。なお、負荷点は、前方コア吸収体縁部から７６ｍｍの位置に耐水性のペンを用いて、製品にマーキングする。
【０１７５】
好適なポンプ、例えばＣｏｌｅ  Ｐａｒｍｅｒ  Ｉｎｓｔｒｕｍｅｎｔｓ（Ｃｈｉｃａｇｏ，ＵＳＡ）製Ｍｏｄｅｌ７５２０−００、又はその等価物を、４．８ｍｍの内径を有する可撓性プラスチック管、例えばＴｙｇｏｎ（登録商標）Ｒ−３６０３又はその等価物から塩化ナトリウムの０．９質量％水溶液を放出するように準備する。チューブの端部は、製品にマーキングされた負荷点の２５ｍｍ上に垂直に中央に配置されるように垂直に固定されるが、チューブの端部の位置は、製品にマーキングされた負荷点の２５ｍｍ上の距離を維持するように水溶液の毎噴出後に調整される。ポンプは、タイマーによって操作され、１０ｍＬ／秒の速度で０．９％食塩水溶液の４０．０ｍＬの噴出を放出するように前もって較正される。４つの噴出がこの方法で製品に送達され、ある噴出の開始と次の噴出の開始との間の時間間隔は、３００秒である。
【０１７６】
適切なペトリ皿の重さを事前に計り、角度付きのテーブルの下縁部の下に配置し、流出した液体を回収する。試験液体の流出は、毎噴出後、流出した液体を有するペトリ皿の重量から乾いた状態でのペトリ皿の重量を減算して算出する。試験液体の総流出量は、また、１回目、２回目、３回目、及び４回目の噴出流出量の総和として、報告及び算出される。毎噴出後、乾燥したペトリ皿が使用される。各選択肢に対して４つの製品がこのように試験され、各噴出のそれぞれの（１回目〜４回目）平均及び総流出量が算出される。
【０１７７】
「濡れ長さ」は、第１の液体がトップシートに接触して（負荷点）から、液体が吸収される領域まで、液体がトップシート上を流れ落ちる距離である。「濡れ長さ」は、負荷点から液体が吸収される領域の位置まで、トップシート（直線）の長手方向中心軸と平行に測定される。この「濡れ長さ」は、噴出毎、６０秒後に測定する。濡れ長さを決定するために、吸収性領域を良好に可視化するように、青色顔料（インジゴカーマイン（Ｃ．Ｉ．７３０１５））を液体に添加することができる。具体的には、本明細書に示した例では、排尿点からおむつ端部までの最大距離は、２８０ｍｍである。
【０１７８】
本明細書で開示する寸法及び値は、列挙された正確な数値に厳密に限られるとして理解されるべきではない。その代わりに、特に指示がない限り、このような寸法はそれぞれ、列挙された値とその値を囲む機能的に同等な範囲との両方を意味することが意図されている。例えば、「４０ｍｍ」として開示される寸法は、「約４０ｍｍ」を意味することが意図される。
【０１７９】
相互参照される又は関連特許若しくは出願のいずれをも含めた、本明細書に引用されている全ての文書は、明示的に除外される、又は特に限定されない限り、その全体が本明細書に参照として組み込まれる。いかなる文献の引用も、それが本明細書で開示若しくは請求される任意の実施形態に関する先行技術であること、又はそれが単独で若しくは任意の他の参照（単数又は複数）との任意の組み合わせで任意のこのような実施形態を教示、提案、若しくは開示することを認めるものではない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【０１８０】
本開示の特定の実施形態が図示及び説明されたが、本開示の趣旨及び範囲から逸脱することなく様々な他の変更及び修正を行い得ることは、当業者には明白であろう。したがって、本開示の範囲内に属する全てのこのような変更及び修正は、添付の特許請求の範囲にて網羅することを意図したものである。 
【図１】
2019526371.tif 000007
【図２】
2019526371.tif 000008
【図３】
2019526371.tif 000009
【図４】
2019526371.tif 000010
【図５】
2019526371.tif 000011
【図６】
2019526371.tif 000012
【図７】
2019526371.tif 000013
【図８】
2019526371.tif 000014
【図９】
2019526371.tif 000015
【図１０】
2019526371.tif 000016
【図１１】
2019526371.tif 000017
【図１２】
2019526371.tif 000018
【図１３】
2019526371.tif 000019
【図１４】
2019526371.tif 000020
【図１５】
2019526371.tif 000021
【図１６】
2019526371.tif 000022
【図１７】
2019526371.tif 000023
【図１８】
2019526371.tif 000024
【図１９】
2019526371.tif 000025
【図２０】
2019526371.tif 000026
【図２１】
2019526371.tif 000027
【図２２】
2019526371.tif 000028
【図２３】
2019526371.tif 000029
【図２４】
2019526371.tif 000030
【図２５】
2019526371.tif 000031
【図２６】
2019526371.tif 000032
【図２７】
2019526371.tif 000033
【図２８】
2019526371.tif 000034
【図２９】
2019526371.tif 000035
【図３０】
2019526371.tif 000036
【図３１】
2019526371.tif 000037
【図３２】
2019526371.tif 000038
【図３３】
2019526371.tif 000039
【図３４】
2019526371.tif 000040
【図３５】
2019526371.tif 000041
【図３６】
2019526371.tif 000042
【図３７】
2019526371.tif 000043
【国際調査報告】
2019526371.tif 000044
2019526371.tif 000045
2019526371.tif 000046